(57)【要約】  本発明は、式（ＩＩ）の少なくとも１つのエストリド化合物を含む誘電性流体を提供する。2014532254.tif 000035（式中、ｎは０以上の整数であり、ｍは１以上の整数であり、Ｒ１はそれぞれ、飽和または不飽和の、および分岐または非分岐の、置換されていてもよいアルキルから独立して選択され、Ｒ２は水素および飽和または不飽和の、および分岐または非分岐の、置換されもよいアルキルから選択され、並びにＲ３およびＲ４はそれぞれ、飽和または不飽和の、および分岐または非分岐の、置換されもよいアルキルから独立して選択される）。本発明は、誘電性流体および少なくとも１つのエストリド化合物を含む誘電性流体を含む変圧器等の電気装置の使用も提供する。
2014532254.tif 000002
【特許請求の範囲】
【請求項１】
少なくとも１つの誘電性流体を含む電気装置であり、前記少なくとも１つの誘電性流体が式Ｉの少なくとも１つのエストリド化合物を含み、
【化１】
2014532254.tif 000034
ここで、
ｘはそれぞれ独立して、０〜２０から選択される整数であり、
ｙはそれぞれ独立して、０〜２０から選択される整数であり、
ｎは０以上の整数であり、
Ｒ１は飽和または不飽和の、および分岐または非分岐の、置換されていてもよいアルキルであり、
Ｒ２は水素および飽和または不飽和の、および分岐または非分岐の、置換されていてもよいアルキルから選択され、
少なくとも１つの前記化合物の脂肪酸鎖残基のそれぞれが、独立して置換されていてもよい、前記電気装置。
【請求項２】
ｘはそれぞれ、独立して１〜１０から選択される整数であり、
ｙはそれぞれ、独立して１〜１０から選択される整数であり、
ｎは０〜８から選択される整数であり、
Ｒ１は飽和または不飽和の、および分岐または非分岐の、置換されていてもよいＣ１〜Ｃ２２アルキルであり、
Ｒ２は飽和または不飽和の、および分岐または非分岐の、置換されていてもよいＣ１〜Ｃ２２アルキルであり、
脂肪酸鎖残基のそれぞれが置換されていない、請求項１の電気装置。
【請求項３】
ｘ＋ｙは、各鎖について、独立して１３〜１５から選択される整数であり、および
ｎは０〜６から選択される整数である、請求項１〜２のいずれか１項に記載の電気装置。
【請求項４】
少なくとも１つの鎖についてｘ＋ｙが１５である、請求項１〜３のいずれか１項に記載の電気装置。
【請求項５】
Ｒ２は飽和または不飽和の分岐または非分岐のＣ１〜Ｃ２０アルキルである、請求項１〜４のいずれか１項に記載の電気装置。
【請求項６】
Ｒ２は飽和または不飽和のおよび分岐または非分岐のメチル、エチル、プロピル、ブチル、ペンチル、ヘキシル、ヘプチル、オクチル、ノニル、デカニル、ウンデカニル、ドデカニル、トリデカニル、テトラデカニル、ペンタデカニル、ヘキサデカニル、ヘプタデカニル、オクタデカニル、ノナデカニル、およびイコサニルから選択される、請求項１〜５のいずれか１項に記載の電気装置。
【請求項７】
Ｒ２はＣ６〜Ｃ１２アルキルから選択される、請求項１〜６のいずれか１項に記載の電気装置。
【請求項８】
Ｒ２は２-エチルヘキシルである、請求項１〜７のいずれか１項に記載の電気装置。
【請求項９】
Ｒ１は飽和または不飽和の分岐または非分岐のＣ１〜Ｃ２０アルキルである、請求項１〜８のいずれか１項に記載の電気装置。
【請求項１０】
Ｒ１は飽和または不飽和で分岐または非分岐のメチル、エチル、プロピル、ブチル、ペンチル、ヘキシル、ヘプチル、オクチル、ノニル、デカニル、ウンデカニル、ドデカニル、トリデカニル、テトラデカニル、ペンタデカニル、ヘキサデカニル、ヘプタデカニル、オクタデカニル、ノナデカニル、およびイコサニルから選択される、請求項１〜９のいずれか１項に記載の電気装置。
【請求項１１】
Ｒ１は非分岐および飽和または不飽和の非置換Ｃ７〜Ｃ１７アルキルから選択される、請求項１〜１０のいずれか１項に記載の電気装置。
【請求項１２】
Ｒ１は非置換、非分岐、および飽和または不飽和のＣ１３〜Ｃ１７アルキルから選択される、請求項１〜１１のいずれか１項に記載の電気装置。
【請求項１３】
Ｒ１は飽和Ｃ７アルキル、飽和Ｃ９アルキル、飽和Ｃ１１アルキル、飽和Ｃ１３アルキル、飽和Ｃ１５アルキル、および飽和または不飽和Ｃ１７アルキルから選択され、非置換および非分岐である、請求項１１に記載の電気装置。
【請求項１４】
Ｒ１は飽和Ｃ１３アルキル、飽和Ｃ１５アルキル、および飽和または不飽和Ｃ１７アルキルから選択され、非置換および非分岐である、請求項１２に記載の電気装置。
【請求項１５】
Ｒ２は飽和または不飽和の、分岐または非分岐の非置換アルキルである、請求項１〜１４のいずれか１項に記載の電気装置。
【請求項１６】
少なくとも１つの前記誘電性流体のＥＮが２以下の整数または整数の分数から選択され、ＥＮは式Ｉに記載の化合物のエストリド結合の平均数である、請求項１〜１５のいずれか１項に記載の電気装置。
【請求項１７】
少なくとも１つの前記誘電性流体のＥＮが１．５以下の整数または整数の分数から選択され、ＥＮは式Ｉに記載の化合物のエストリド結合の平均数である、請求項１〜１６のいずれか１項に記載の電気装置。
【請求項１８】
少なくとも１つの前記誘電性流体の４０℃で測定した動的粘度が４５ｃＳｔ以下である、請求項１〜１７のいずれか１項に記載の電気装置。
【請求項１９】
少なくとも１つの前記誘電性流体の流動点が-２５℃以下である、請求項１〜１８のいずれか１項に記載の電気装置。
【請求項２０】
前記誘電性流体が抗酸化剤、抗菌剤、低温流動性調整剤、流動点調整剤、金属キレート剤および金属不活性化剤から成る群から選択される少なくとも１つの添加剤を更に含む、請求項１〜１９のいずれか１項に記載の電気装置。
【請求項２１】
前記誘電性流体がポリアルファオレフィン、合成エステル、ポリアルキレングリコール、鉱油、植物油、動物性油、モノグリセリド、ジグリセリド、トリグリセリド、および脂肪酸エステルから成る群から選択される少なくとも１つの添加剤を更に含む、請求項１〜２０のいずれか１項に記載の電気装置。
【請求項２２】
少なくとも１つの添加剤がＢＨＴ、ＢＨＡ、ＴＢＨＱ、ＤＢＰＣ、ＴＨＢＰ、またはアルキル化ジフェニルアミンの１つ以上を含む抗酸化剤である、請求項２１に記載の電気装置。
【請求項２３】
前記電気装置が少なくとも１つの変圧器を含む、請求項１〜２２のいずれか１項に記載の電気装置。
【請求項２４】
少なくとも１つの前記変圧器がハウジングおよびコア／コイルアセンブリを含み、コア／コイルアセンブリはハウジングの中に位置され、誘電性流体がコア／コイルアセンブリの少なくとも一部分を取り囲む、請求項２３に記載の電気装置。
【請求項２５】
前記誘電性流体の発火点が３００℃より高いかまたは等しい、請求項１〜２４のいずれか１項に記載の電気装置。
【請求項２６】
前記誘電性流体の引火点が２７５℃より高いかまたは等しい、請求項１〜２５のいずれか１項に記載の電気装置。
【請求項２７】
前記誘電性流体の６０Ｈｚ（ＶＤＥ電極）の絶縁破壊電圧が、２ｍｍのギャップについて３５ｋＶより大きいまたは等しい、請求項１〜２６のいずれか１項に記載の電気装置。
【請求項２８】
前記誘電性流体のインパルス条件（２５℃、針は地球の接地に対して負、１インチ）下の絶縁破壊電圧が１３０ｋＶより大きいまたは等しい、請求項１〜２７のいずれか１項に記載の電気装置。
【請求項２９】
前記誘電性流体の６０Ｈｚの誘電正接が２５℃で０．２％以下である、請求項１〜２８のいずれか１項に記載の電気装置。
【請求項３０】
前記誘電性流体の総酸数が０．１ｍｇＫＯＨ／ｇ以下である、請求項１〜２９のいずれか１項に記載の電気装置。
【請求項３１】
少なくとも１つの前記誘電性流体の伝導率が２５℃で５ｐＳ／Ｍ以下である、請求項１〜３０のいずれか１項に記載の電気装置。
【発明の詳細な説明】
【技術分野】
【０００１】
関連出願の相互参照
本出願は米国特許法第１１９（ｅ）条の下で、２０１１年６月１７日に提出した米国仮出願第６１／４９８，４９９号、および２０１1年１０月１８日に提出した米国仮出願第６１／５４８，６１３号の利益を主張するものであり、それらの全体が、あらゆる目的について参照することにより、本明細書に組み込まれる。
【０００２】
本発明は、エストリド化合物を含む誘電性組成物およびその組成物を含む電気装置に関する。
【背景技術】
【０００３】
電気分配および電源装置に使用される誘電性流体組成物は、発生した熱を装置から移動させることができる電気絶縁体として、いわゆる冷媒として作用することができる。変圧器の中で使用すると、例えば、誘電性流体は、熱を変圧器の巻線およびコアまたは接続回路から冷却面へ移動させることができる。
【発明の概要】
【０００４】
本明細書では、少なくとも１つのエストリド化合物を含む誘電性流体、並びにその作製および使用方法を記載する。
【０００５】
ある態様では、誘電性流体は式Ｉのエストリド化合物を少なくとも１つ含み、
【０００６】
【化１】
2014532254.tif 000003
【０００７】
ここで、
ｘはそれぞれ独立して、０、１、２、３、４、５、６、７、８、９、１０、１１、１２、１３、１４、１５、１６、１７、１８、１９、および２０から選択される整数であり、
ｙはそれぞれ独立して、０、１、２、３、４、５、６、７、８、９、１０、１１、１２、１３、１４、１５、１６、１７、１８、１９、および２０から選択される整数であり、
ｎは０、１、２、３、４、５、６、７、８、９、１０、１１、および１２から選択される整数であり、
Ｒ１は飽和または不飽和の、および分岐または非分岐の、置換されていてもよいアルキルであり、および
Ｒ２は水素並びに飽和または不飽和の、および分岐または非分岐の、置換されていてもよいアルキルであり、
少なくとも１つの当該化合物の脂肪酸鎖の残基はそれぞれ、独立して置換されていてもよい。
【０００８】
ある態様では、誘電性流体は式ＩＩのエストリド化合物を少なくとも１つ含み、
【０００９】
【化２】
2014532254.tif 000004
【００１０】
ここで、
ｍは１以上の整数であり、
ｎは０以上の整数であり、
Ｒ１はそれぞれ独立して、飽和または不飽和の、および分岐または非分岐の、置換されていてもよいアルキルであり、
Ｒ２は水素並びに飽和または不飽和の、および分岐または非分岐の、置換されていてもよいアルキルから選択され、および
Ｒ３およびＲ４はそれぞれ独立して、飽和または不飽和の、および分岐または非分岐の、置換されていてもよいアルキルから選択される。
【００１１】
ある態様では、誘電性流体は式ＩＩＩのエストリド化合物を少なくとも１つ含み、
【００１２】
【化３】
2014532254.tif 000005
【００１３】
ここで、
ｘはそれぞれ独立して、０、１、２、３、４、５、６、７、８、９、１０、１１、１２、１３、１４、１５、１６、１７、１８、１９、および２０から選択される整数であり、
ｙはそれぞれ独立して、０、１、２、３、４、５、６、７、８、９、１０、１１、１２、１３、１４、１５、１６、１７、１８、１９、および２０から選択される整数であり、
ｎは０以上の整数であり、
Ｒ１は飽和または不飽和の、および分岐または非分岐の、置換されていてもよいアルキルであり、
Ｒ２は水素並びに飽和または不飽和の、および分岐または非分岐の、置換されていてもよいアルキルから選択され、
少なくとも１つの該化合物の脂肪酸鎖の残基はそれぞれ、独立して置換されていてもよい。
【００１４】
ある態様では、誘電性流体は電気装置に含まれ、誘電性流体は式Ｉ、ＩＩ、またはＩＩＩの少なくとも１つの化合物を含む。
【発明を実施するための形態】
【００１５】
「誘電性流体」は本明細書に使用されるとき、安定的な電界を保持し、電気絶縁体として作用することができる流体を意味する。例示的な電気絶縁体として、これらに限定されないが、耐火性および／または不燃性の液体が挙げられる。例示的な誘電性流体は限定されないが、例えば、これらに限定されないが、変圧器、コンデンサ、スイッチギアおよび電線を含む電気分配および電源装置に使用することができる。
【００１６】
誘電性流体、化合物および／または組成物の使用は、このような流体、化合物、および／または組成物を環境中に分散させる可能性がある一般的な誘電性組成物および添加剤に使用される石油基油は、典型的に生分解性がなく、毒性のものとなる可能性がある。本発明は、１つ以上のエストリドを含む基油を含む部分的または完全に生分解性の基油を含む誘電性流体の調製および使用を提供する。
【００１７】
ある態様では、誘電性流体および／または１つ以上のエストリドから成る組成物は、部分的若しくは完全に生分解性であり、環境へのリスクを少なくする。ある態様では、誘電性流体および／または組成物は、劣化および濃縮性試験についての経済協力開発機構（ＯＥＣＤ）によって定められたガイドラインを満たす。ＯＥＣＤは有機化合物の「易生分解性（ready biodegradability）」を定めるために、いくつかの試験が使用可能であることを示した。ＯＥＣＤ３０１Ｄによる好気的易生分解性は、廃水処理施設から播種された微生物と共に、好気的水環境をシミュレートする閉じられた好気性ミクロコスモス内の、ＣＯ２に対する試験試料のミネラル化を測定する。ＯＥＣＤ３０１Ｄは、廃棄物を受領すると思われる最も好気的な環境の代表であると考えられる。好気的な「最終的的な生分解性」は、ＯＥＣＤ３０２Ｄによって定めることができる。ＯＥＣＤ３０２Ｄの下では、微生物は、プレインキュベーション期間中の試験材料の生分解性にプレ順応（pure-acclimated）され、比較的濃度の高い微生物および豊かなミネラル塩培地である密封された容器の中でインキュベートされる。ＯＥＣＤ３０２Ｄは、「易生分解性」アッセイよりストリンジェントでない条件であっても、試験材料が完全に生分解的であるかどうかを最終的的に判定する。
【００１８】
ある態様では、誘電性流体および／または１つ以上のエストリドを含む組成物は、特定された標準を満たすことができ、または、これらに限定されないが、最大の色調、発火点、引火点、流動点、相対密度、粘度；６０Ｈｚでの絶縁破壊電圧、インパルス条件下の絶縁破壊電圧、６０Ｈｚでの誘電正接（または力率）、ガッシング傾向（gassing tendency）、腐食性の硫黄の存在、中和価、ＰＣＢ含有量および水含有量から選択される１つ以上を含む特徴を有する。
【００１９】
本明細書に使用されるとき、以下の単語、フレーズおよびシンボルは、それらが使用される文脈が他に示す範囲を除いて、以下に示す通りの意味を有することを意図するものとする。以下の略語および用語は、全体にわたって以下の意味を示す。
【００２０】
２つの文字またはシンボルの間にないダッシュ（「−」）は、置換基の結合点を示すために使用される。例えば、−Ｃ（Ｏ）ＮＨ２は炭素原子によって結合される。
【００２１】
「アルコキシ」：そのものまたはもう１つ別の置換基の部分としての「アルコキシ」は基−ＯＲ３１を意味し、Ｒ３１はアルキル、シクロアルキル、シクロアルキルアルキル、アリール、またはアリールアルキルであり、本明細書に定義されるように、置換される可能性がある。いくつかの態様では、アルコキシ基には１〜８個の炭素原子がある。いくつかの態様では、アルコキシ基には１、２、３、４、５、６、７、または８個の炭素原子がある。アルコキシ基の例として、、これらに限定されないが、メトキシ、エトキシ、プロポキシ、ブトキシ、シクロヘキシルオキシ等が挙げられる。
【００２２】
「アルキル」そのものまたはもう１つ別の置換基の部分としての「アルキル」は、飽和または不飽和、分岐または親アルカン、アルケン、若しくはアルキンの単一の炭素原子から１つの水素原子を除くことによって生じる直鎖の一価の炭化水素基を意味する。アルキル基の例として、、これらに限定されないが、エタニル、エテニル、およびエチニル等のエチル類；プロパン‐１‐イル、プロパン‐２‐イル、プロプ‐１‐エン‐１‐イル、プロプ‐１‐エン‐２‐イル、プロプ‐２‐エン‐１‐イル（アリル）、プロプ‐１‐イン‐１‐イル、プロプ‐２‐イン‐１‐イル等のプロピル類；ブタン‐１‐イル、ブタン‐２‐イル、２‐メチル‐プロパン‐１‐イル、２‐メチル‐プロパン‐２‐イル、ブト‐１‐エン‐１‐イル、ブト‐１‐エン‐２‐イル、２‐メチル‐プロプ‐１‐エン‐１‐イル、ブト‐２‐エン‐１‐イル、ブト‐２‐エン‐２‐イル、ブタ‐１，３‐ジエン‐１‐イル、ブタ‐１，３‐ジエン‐２‐イル、ブト‐１‐イン‐１‐イル、ブト‐１‐イン‐３‐イル、ブト‐３‐イン‐１‐イル等のブチル類が挙げられる。
【００２３】
特に断らない限り、用語「アルキル」は、任意の程度またはレベルの飽和を有する基を含むことを具体的に意図し、いわゆるまったくの炭素‐炭素の単結合を有する基、１つ以上の炭素‐炭素の二重結合を有する基、１つ以上の炭素‐炭素の三重結合を有する基、および炭素‐炭素の単結合、二重結合、三重結合の混合を有する基である。特定のレベルの飽和を意図するとき、用語「アルカニル」、「アルケニル」、および「アルキニル」が使用される。ある態様では、アルキル基は１〜４０個の炭素原子、ある態様では、１〜２２個または１〜１８個の炭素原子、ある態様では、１〜１６個または１〜８個の炭素原子、並びにある態様では、１〜６個または１〜３個の炭素原子を含む。ある態様では、アルキル基は８〜２２個の炭素原子、ある態様では、８〜１８個または８〜１６個の炭素原子を含む。いくつかの態様では、アルキル基は３〜２０または７〜１７個の炭素を含む。いくつかの態様では、アルキル基は１、２、３、４、５、６、７、８、９、１０、１１、１２、１３、１４、１５、１６、１７、１８、１９、２０、２１、または２２個の炭素原子を含む。
【００２４】
「アリール」：そのものまたはもう１つ別の置換基の部分としての「アリール」は、親芳香族環系の単一の炭素原子から１つの水素原子を除くことによって生じる一価の芳香族炭化水素基を意味する。アリールは５および６員の炭素環式芳香族環を包含し、例えば、ベンゼン、少なくとも１つの環が炭素環式および芳香族である二環式系（例えば、ナフタレン、インダン、およびテトラリン）、並びに少なくとも１つの環が炭素環式および芳香族である三環式（例えばフルオレン）がある。アリールは、少なくとも１つの炭素環式芳香族環と縮合された少なくとも１つの炭素環式芳香族環、シクロアルキル環、またはヘテロシクロアルキル環を有する複数の環を包含する。例えば、アリールは、Ｎ、Ｏ、およびＳから選ばれる１つ以上のヘテロ原子を含む５〜７員の非芳香族ヘテロシクロアルキル環と縮合された５および６員の炭素環式芳香族環を含む。環のうちたった１つが炭素環式芳香族環であるこのような縮合、二環式系について、結合点が炭素環式芳香族環またはヘテロシクロアルキル環であってもよい。アリール基の例として、制限されないが、アセアントリレン、アセナフチレン、アセフェナントリレン、アントラセン、アズレン、ベンゼン、クリセン、コロネン、フルオランテン、フルオレン、ヘキサセン、ヘキサフェン、ヘキサレン、ａｓ−インダセン、ｓ−インダセン、インダン、インデン、ナフタレン、オクタセン、オクタフェン、オクタレン、オバレン、ペンタ−２，４”−ジエン、ペンタセン、ペンタレン、ペンタフェン、ペリレン、フェナレン、フェナントレン、ピセン、プレイアデン、ピレン、ピラントレン、ルビセン、トリフェニレン、トリナフタレン等に由来する基が挙げられる。ある態様では、アリール基は５〜２０個の炭素原子を含むことができ、ある態様では、５〜１２個の炭素原子を含むことができる。ある態様では、アリール基は５、６、７、８、９、１０、１１、１２、１３、１４、１５、１６、１７、１８、１９、または２０個の炭素原子を含むことができる。しかしながら、アリールは本明細書に別に定義されるヘテロアリールといかなる方法であっても包含されたり、重なることはない。そのため１つ以上の炭素環式芳香族環がヘテロシクロアルキル芳香族環と縮合される複数の環系はヘテロアリールであり、本明細書に定義されるようにアリールではない。
【００２５】
「アリールアルキル」：そのものまたはもう１つ別の置換基の部分としての「アリールアルキル」は、炭素原子、典型的には末端またはｓｐ３炭素原子と結合された水素原子の１つがアリール基と置換される非環式アルキル基を意味する。アリールアルキル基の例として、、これらに限定されないが、ベンジル、２‐フェニルエタン‐１‐イル、２‐フェニルエテン‐１‐イル、ナフチルメチル、２‐ナフチルエタン‐１‐イル、２‐ナフチルエテン‐１‐イル、ナフトベンジル、２‐ナフトフェニルエタン‐１‐イル等が挙げられる。特定のアルキル部分が意図される場合、命名法アリールアルカニル、アリールアルケニル、またはアリールアルキニルが使用される。ある態様では、アリールアルキル基はＣ７−３０アリールアルキルであり、例えばアリールアルキル基のアルカニル、アルケニル、またはアルキニル部分はＣ１−１０であり、アリール部分はＣ６−２０であり、およびある態様では、アリールアルキル基はＣ７−２０アリールアルキルであり、例えばアリールアルキル基のアルカニル、アルケニル、またはアルキニル部分はＣ１−８であり、アリール部分はＣ６−１２である。
【００２６】
エストリド「基油」および「素材（base stock）」は、特に断らない限り、１つ以上のエストリド化合物を含む、いかなる組成物も意味する。エストリド「基油」または「素材」は、具体的な使用のための組成物に限定されないこと、エストリドの混合物を含む１つ以上のエストリドを含む組成物を一般に意味してもよいと理解されるべきである。エストリド基油および素材は、エストリド以外の化合物を含むこともできる。
【００２７】
「化合物」は、式Ｉ、ＩＩ、およびＩＩＩによって包含される化合物を意味し、その構造が本明細書に開示の式内のあらゆる特定の化合物を含む。化合物は、化学構造および／または化学名のどちらかによって識別される可能性がある化学構造と化学名が一致しないとき、化学構造の方を、該化合物を識別する決定要素とする。本明細書に記載の化合物は１つ以上のキラル中心および／または二重結合を含んでいてもよく、二重結合異性体（いわゆる幾何異性体）、エナンチオマー、若しくはジアステレオマー等の立体異性体として存在してもよい。したがって、本明細書に記述の範囲内のいかなる化学構造も、全体または部分的に、相対配置と共に、立体異性体的に純粋な形（例えば、幾何学的に純粋、エナンチオマー的に純粋またはジアステレオマー的に純粋）およびエナンチオマーと立体異性体の混合物を含む、説明される化合物のエナンチオマーおよびジアステレオマーの可能性のあるものは全て包含する。エナンチオマーと立体異性体の混合物は、当業者に周知の（well kown）分離手法またはキラル合成手法を使用して、要素であるエナンチオマーまたは立体異性体に分割されてもよい。
【００２８】
本発明の目的のために、「キラル化合物」は、キラリティー（いわゆる少なくとも１つの非対称性原子、具体的には少なくとも１つの非対称Ｃ原子）の少なくとも１つの中心を有し、キラリティーの軸、キラリティーの面または螺旋構造を有する化合物である。「非キラル化合物」はキラルでない化合物である。
【００２９】
式Ｉ、ＩＩ、およびＩＩＩの化合物は、、これらに限定されないが、式Ｉ、ＩＩ、およびＩＩＩの化合物の光学異性体、ラセミ体、およびその他の混合物である。このような態様では、単一のエナンチオマーまたはジアステレオマー、いわゆる光学的に活性の形式は、非対称な合成またはラセミ体の分割によって得ることができる。ラセミ体の分割は、例えばキラル高圧液体クロマトグラフィー（ＨＰＬＣ）カラムを使用してクロマトグラフィーによって達成されてもよい。しかしながら、特に断らない限り、式Ｉ、ＩＩ、およびＩＩＩは本明細書に記載の化合物の非対称変異形をすべて含み、異性体、ラセミ体、エナンチオマー、ジアステレオマーおよびその他の混合物を網羅する。更に、式Ｉ、ＩＩ、およびＩＩＩの化合物は、二重結合の化合物のＺ−およびＥ−型（例えば、シス−、トランス−型）を含む。式Ｉ、ＩＩ、およびＩＩＩの化合物は、エノール型、ケト型、およびその混合物を含むいくつかの互変異性型の中に存在してもよい。したがって、本明細書に記述の化学構造は、説明される化合物のあらゆる互変異性型の可能性のあるものは、全て包含する。
【００３０】
「シクロアルキル」：そのものまたはもう１つ別の置換基の部分としての「シクロアルキル」は、飽和または不飽和環式アルキル基を意味する。飽和の特定のレベルが意図される場合、命名法「シクロアルカニル」または「シクロアルケニル」が使用される。シクロアルキル基の例として、これらに限定されないが、シクロプロパン、シクロブタン、シクロペンタン、シクロヘキサン等に由来する基が挙げられる。ある態様では、シクロアルキル基はＣ３‐１５シクロアルキルであり、ある態様では、Ｃ３−１２シクロアルキルまたはＣ５−１２シクロアルキルである。ある態様では、シクロアルキル基はＣ５、Ｃ６、Ｃ７、Ｃ８、Ｃ９、Ｃ１０、Ｃ１１、Ｃ１２、Ｃ１３、Ｃ１４、またはＣ１５シクロアルキルである。
【００３１】
「シクロアルキルアルキル」：そのものまたはもう１つ別の置換基の部分としての「シクロアルキルアルキル」は、炭素原子、典型的には末端またはｓｐ３炭素原子に結合される水素原子の１つがシクロアルキル基に置換される非環式アルキル基を意味する。特定のアルキル部分が意図される場合、命名法シクロアルキルアルカニル、シクロアルキルアルケニル、またはシクロアルキルアルキニルが使用される。ある態様では、シクロアルキルアルキル基はＣ７−３０シクロアルキルアルキルであり、例えば、シクロアルキルアルキル基のアルカニル、アルケニル、またはアルキニル部分がＣ１−１０であり、シクロアルキル部分はＣ６−２０であり、ある態様では、シクロアルキルアルキル基はＣ７−２０シクロアルキルアルキルであり、例えば、シクロアルキルアルキル基のアルカニル、アルケニル、またはアルキニル部分はでＣ１−８あり、シクロアルキル部分はＣ４−２０またはＣ６−１２である。
【００３２】
「ハロゲン」は、フルオロ、クロロ、ブロモ、またはヨード基を意味する。
【００３３】
「ヘテロアリール」：そのものまたはもう１つ別の置換基の部分としての「ヘテロアリール」は、親の（parent）へテロ芳香族環系の単一の原子から水素原子を除くことによって生じる一価ヘテロ芳香族基を意味する。ヘテロアリールは少なくとも１つのその他の環に縮合された少なくとも１つの芳香族環を有する複数の環系を包含し、少なくとも１つの環原子がヘテロ原子である芳香族または非芳香族であってもよい。ヘテロアリールは、残りの環原子が炭素でありながら、Ｎ、Ｏ、およびＳから選ばれる１つ以上の、例えば１〜４個、またはある態様では１〜３個のヘテロ原子を含む５〜７員、単環式環等の５〜１２員の芳香族を包含し、；および残りの環原子が炭素でありながら、１つ以上、例えば、１〜４個、またはある態様では１〜３個のヘテロ原子を含むＮ、Ｏ、およびＳから選ばれる二環式へテロシクロアルキルを包含し、並びに少なくとも１つのヘテロ原子が芳香族環内に存在する。例えば、ヘテロアリールは５〜７員のシクロアルキル環に縮合される５〜７員のヘテロシクロアルキル、芳香族環を含む。このような縮合される、環のうちたった１つのが１つ以上のヘテロ原子を含む二環式ヘテロアリール環系について、結合点は芳香族環またはシクロアルキル環にあってもよい。ある態様では、ヘテロアリール基内のＮ、Ｓ、およびＯ原子の総数が１を超えるとき、ヘテロ原子は互いに隣接しない。ある態様では、ヘテロアリール基内のＮ、Ｓ、およびＯ原子の総数は２より多くない。ある態様では、芳香族へテロ環内のＮ、Ｓ、およびＯ原子の総数は１より多くない。ヘテロアリールは、本明細書に定義されるようにアリールを包含したり、重なったりしない。
【００３４】
ヘテロアリール基の例として、、これらに限定されないが、アクリジン、アルシンドール、カルバゾール、β‐カルボリン、クロマン、クロメン、シンノリン、フラン、イミダゾール、インダゾール、インドール、インドリン、インドリジン、イソベンゾフラン、イソクロメン、イソインドール、イソインドリン、イソキノリン、イソチアゾール、イソオキサゾール、ナフチリジン、オキサジアゾール、オキサゾール、ペリミジン、フェナントリジン、フェナントロリン、フェナジン、フタラジン、プテリジン、プリン、ピラン、ピラジン、ピラゾール、ピリダジン、ピリジン、ピリミジン、ピロール、ピロリジン、キナゾリン、キノリン、キノリジン、キノキサリン、テトラゾール、チアジアゾール、チアゾール、チオフェン、トリアゾール、キサンテン等に由来する基が挙げられる。ある態様では、ヘテロアリール基は５〜２０員のヘテロアリールであり、ある態様では、５〜１２員のヘテロアリールであり、または５〜１０員のヘテロアリールである。ある態様では、ヘテロアリール基は５−、６−、７−、８−、９−、１０−、１１−、１２−、１３−、１４−、１５−、１６−、１７−、１８−、１９−、または２０員のヘテロアリールである。ある態様では、ヘテロアリール基はチオフェン、ピロール、ベンゾチオフェン、ベンゾフラン、インドール、ピリジン、キノリン、イミダゾール、オキサゾール、およびピラジンに由来する基である。
【００３５】
「ヘテロアリールアルキル」：そのものまたはもう１つ別の置換基の部分としての「ヘテロアリールアルキル」は炭素原子、典型的には末端またはｓｐ３炭素原子に結合される水素原子の１つがヘテロアリール基に置換される非環式アルキル基を意味する。特定のアルキル部分が意図される場合、命名法ヘテロアリールアルカニル、ヘテロアリールアルケニル、またはヘテロアリールアルキニルが使用される。ある態様では、ヘテロアリールアルキル基は６〜３０員のヘテロアリールアルキルであり、例えば、ヘテロアリールアルキルのアルカニル、アルケニル、またはアルキニル部分は１〜１０員であり、ヘテロアリール部分は５〜２０員のヘテロアリールであり、ある態様では、６〜２０員のヘテロアリールであり、例えば、ヘテロアリールアルキルのアルカニル、アルケニル、またはアルキニル部分は１〜８員であり、ヘテロアリール部分は５〜１２員のヘテロアリールである。
【００３６】
「ヘテロシクロアルキル」：そのものまたはもう１つ別の置換基の部分としての「ヘテロシクロアルキル」は、１つ以上の炭素原子（および関連する任意の水素原子）が独立して同じまたは異なるヘテロ原子に置換される部分飽和または不飽和環式アルキル基を意味する。炭素原子（複数可）を置換するヘテロ原子の例として、これらに限定されないが、Ｎ、Ｐ、Ｏ、Ｓ、Ｓｉ等が挙げられる。具体的なレベルの飽和を意図するとき、命名法「ヘテロシクロアルカニル」または「ヘテロシクロアルケニル」が使用される。ヘテロシクロアルキル基の例として、これらに限定されないがエポキシド類、アジリン類、チイラン類、イミダゾリジン、モルホリン、ピペラジン、ピペリジン、ピラゾリジン、ピロリジン、キヌクリジン等に由来する基が挙げられる。
【００３７】
「ヘテロシクロアルキルアルキル」：そのものまたはもう１つ別の置換基の部分としての「ヘテロシクロアルキルアルキル」は、炭素原子、典型的には末端またはｓｐ３炭素原子に結合される水素原子の１つがヘテロシクロアルキル基に置換される非環式アルキル基を意味する。特定のアルキル部分が意図される場合、命名法ヘテロシクロアルキルアルカニル、ヘテロシクロアルキルアルケニル、またはヘテロシクロアルキルアルキニルが使用される。ある態様では、ヘテロシクロアルキルアルキル基は６〜３０員のヘテロシクロアルキルアルキルであり、例えば、ヘテロシクロアルキルアルキルのアルカニル、アルケニル、またはアルキニル部分は１〜１０員であり、ヘテロシクロアルキル部分は５〜２０員のヘテロシクロアルキルであり、ある態様では、６〜２０員のヘテロシクロアルキルアルキル、例えば、ヘテロシクロアルキルアルキルのアルカニル、アルケニル、またはアルキニル部分は１〜８員であり、ヘテロシクロアルキル部分は５〜１２員のヘテロシクロアルキルである。
【００３８】
「混合物」は、分子または化学物質の集合を意味する。混合物中の各成分は独立して異なる可能性がある。混合物は一定の百分組成である、または、ではない混ぜ合わさった２つ以上の物質を含む、または、から本質的に成ってもよく、各成分は本質的な元の特性を有していても、有していなくともよく、分子相の混合が起こっていても、起こっていなくともよい。混合物中に、混合物を構成する成分が、それらの化学的構造によって互いに区別できても、できなくともよい。
【００３９】
「親の芳香族環系」は、共役π電子系を有する不飽和環式または多環式環系を意味する。環の１つ以上が芳香族であり、環の１つ以上が、例えばフルオレン、インダン、インデン、フェナレン等の飽和または不飽和である縮合環系が、「親の芳香族環系」の定義に含まれる。親の芳香族環系の例として、これらに限定されないが、アセアントリレン、アセナフチレン、アセフェナントリレン、アントラセン、アズレン、ベンゼン、クリセン、コロネン、フルオランテン、フルオレン、ヘキサセン、ヘキサフェン、ヘキサレン、ａｓ‐インダセン、ｓ‐インダセン、インダン、インデン、ナフタレン、オクタセン、オクタフェン、オクタレン、オバレン、ペンタ−２，４”−ジエン、ペンタセン、ペンタレン、ペンタフェン、ペリレン、フェナレン、フェナントレン、ピセン、プレイアデン、ピレン、ピラントレン、ルビセン、トリフェニレン、トリナフタレン等が挙げられる。
【００４０】
「親のへテロ芳香族環系」は、１つ以上の炭素原子（および関連する任意の水素原子）が独立して同じまたは異なるヘテロ原子に置換される親の芳香族環系を意味する。炭素原子を置換するヘテロ原子の例として、これらに限定されないが、Ｎ、Ｐ、Ｏ、Ｓ、Ｓｉ等が挙げられる。具体的には、環の１つ以上が芳香族であり、および環の１つ以上が、例えば、アルシンドール、ベンゾジオキサン、ベンゾフラン、クロマン、クロメン、インドール、インドリン、キサンテン等の飽和または不飽和である縮合環系が、「親のへテロ芳香族環系」の定義に含まれる。親のへテロ芳香族環系の例として、これらに限定されないが、アルシンドール、カルバゾール、β‐カルボリン、クロマン、クロメン、シンノリン、フラン、イミダゾール、インダゾール、インドール、インドリン、インドリジン、イソベンゾフラン、イソクロメン、イソインドール、イソインドリン、イソキノリン、イソチアゾール、イソオキサゾール、ナフチリジン、オキサジアゾール、オキサゾール、ペリミジン、フェナントリジン、フェナントロリン、フェナジン、フタラジン、プテリジン、プリン、ピラン、ピラジン、ピラゾール、ピリダジン、ピリジン、ピリミジン、ピロール、ピロリジン、キナゾリン、キノリン、キノリジン、キノキサリン、テトラゾール、チアジアゾール、チアゾール、チオフェン、トリアゾール、キサンテン等が挙げられる。
【００４１】
「置換される」は、１つ以上の水素原子が同じまたは異なる置換基（複数可）に独立して置換される基を意味する。置換基の例として、これらに限定されないが、−Ｒ６４、−Ｒ６０、−Ｏ-、−ＯＨ、＝Ｏ、−ＯＲ６０、−ＳＲ６０、−Ｓ-、＝Ｓ、−ＮＲ６０Ｒ６１、＝ＮＲ６０、−ＣＮ、−ＣＦ３、−ＯＣＮ、−ＳＣＮ、−ＮＯ、−ＮＯ２、＝Ｎ２、−Ｎ３、−Ｓ（Ｏ）２Ｏ-、−Ｓ（Ｏ）２ＯＨ、−Ｓ（Ｏ）２Ｒ６０、−ＯＳ（Ｏ２）Ｏ-、−ＯＳ（Ｏ）２Ｒ６０、−Ｐ（Ｏ）（Ｏ-）２、−Ｐ（Ｏ）（ＯＲ６０）（Ｏ-）、−ＯＰ（Ｏ）（ＯＲ６０）（ＯＲ６１）、−Ｃ（Ｏ）Ｒ６０、
【００４２】
−Ｃ（Ｓ）Ｒ６０、−Ｃ（Ｏ）ＯＲ６０、−Ｃ（Ｏ）ＮＲ６０Ｒ６１、−Ｃ（Ｏ）Ｏ-、−Ｃ（Ｓ）ＯＲ６０、−ＮＲ６２Ｃ（Ｏ）ＮＲ６０Ｒ６１、−ＮＲ６２Ｃ（Ｓ）ＮＲ６０Ｒ６１、−ＮＲ６２Ｃ（ＮＲ６３）ＮＲ６０Ｒ６１、−Ｃ（ＮＲ６２）ＮＲ６０Ｒ６１、−Ｓ（Ｏ）２、ＮＲ６０Ｒ６１、−ＮＲ６３Ｓ（Ｏ）２Ｒ６０、−ＮＲ６３Ｃ（Ｏ）Ｒ６０、および−Ｓ（Ｏ）Ｒ６０が挙げられ、
【００４３】
−Ｒ６４のそれぞれは独立してハロゲンであり、Ｒ６０およびＲ６１のそれぞれは独立してアルキル、置換アルキル、アルコキシ、置換アルコキシ、シクロアルキル、置換シクロアルキル、ヘテロシクロアルキル、置換ヘテロシクロアルキル、アリール、置換アリール、ヘテロアリール、置換ヘテロアリール、アリールアルキル、置換アリールアルキル、ヘテロアリールアルキル、若しくは置換ヘテロアリールアルキルであり、またはＲ６０およびＲ６１は、それらが結合される窒素原子と一緒になって、ヘテロシクロアルキル、置換ヘテロシクロアルキル、ヘテロアリール、若しくは置換ヘテロアリール環を形成し、Ｒ６２およびＲ６３は独立してアルキル、置換アルキル、アリール、置換アリール、アリールアルキル、置換アリールアルキル、シクロアルキル、置換シクロアルキル、ヘテロシクロアルキル、置換ヘテロシクロアルキル、ヘテロアリール、置換ヘテロアリール、ヘテロアリールアルキル、若しくは置換ヘテロアリールアルキルであり、Ｒ６２およびＲ６３はそれらが結合される原子と一緒になって、１つ以上のヘテロシクロアルキル、置換ヘテロシクロアルキル、ヘテロアリール、若しくは置換ヘテロアリール環を形成し、
【００４４】
「置換される」置換基は、Ｒ６０、Ｒ６１、Ｒ６２、およびＲ６３について上に定義されるように、以下から独立して選択される１、２、または３個等の１つ以上の基に置換される：
【００４５】
アルキル、−アルキル−ＯＨ、−Ｏ−ハロアルキル、−アルキル−ＮＨ２、アルコキシ、シクロアルキル、シクロアルキルアルキル、ヘテロシクロアルキル、ヘテロシクロアルキルアルキル、アリール、ヘテロアリール、アリールアルキル、ヘテロアリールアルキル、−Ｏ-、−ＯＨ、＝Ｏ、−Ｏ−アルキル、−Ｏ−アリール、−Ｏ−ヘテロアリールアルキル、−Ｏ−シクロアルキル、−Ｏ−ヘテロシクロアルキル、−ＳＨ、−Ｓ-、＝Ｓ、−Ｓ−アルキル、−Ｓ−アリール、−Ｓ−ヘテロアリールアルキル、−Ｓ−シクロアルキル、−Ｓ−ヘテロシクロアルキル、−ＮＨ２、＝ＮＨ、−ＣＮ、−ＣＦ３、−ＯＣＮ、−ＳＣＮ、−ＮＯ、−ＮＯ２、＝Ｎ２、−Ｎ３、−Ｓ（Ｏ）２Ｏ-、−Ｓ（Ｏ）２、−Ｓ（Ｏ）２ＯＨ、−ＯＳ（Ｏ２）Ｏ-、−ＳＯ２（アルキル）、−ＳＯ２（フェニル）、−ＳＯ２（ハロアルキル）、−ＳＯ２ＮＨ２、−ＳＯ２ＮＨ（アルキル）、−ＳＯ２ＮＨ（フェニル）、−Ｐ（Ｏ）（Ｏ-）２、−Ｐ（Ｏ）（Ｏ−アルキル）（Ｏ-）、−ＯＰ（Ｏ）（Ｏ−アルキル）（Ｏ−アルキル）、−ＣＯ２Ｈ、−Ｃ（Ｏ）Ｏ（アルキル）、−ＣＯＮ（アルキル）（アルキル）、−ＣＯＮＨ（アルキル）、−ＣＯＮＨ２、−Ｃ（Ｏ）（アルキル）、−Ｃ（Ｏ）（フェニル）、−Ｃ（Ｏ）（ハロアルキル）、−ＯＣ（Ｏ）（アルキル）、−Ｎ（アルキル）（アルキル）、−ＮＨ（アルキル）、−Ｎ（アルキル）（アルキルフェニル）、−ＮＨ（アルキルフェニル）、−ＮＨＣ（Ｏ）（アルキル）、−ＮＨＣ（Ｏ）（フェニル）、−Ｎ（アルキル）Ｃ（Ｏ）（アルキル）、および−Ｎ（アルキル）Ｃ（Ｏ）（フェニル）。
【００４６】
用語「変圧器」は、１つ以上の誘導的な連結構造によって、１つの隣接する回路からもう１つ別の隣接する回路に電気エネルギーを移動させる装置を意味する。例示的な誘導的な連結構造として、、これらに限定されないが、２つ以上の多重巻回（multiply wound）、誘導的な連結ワイヤーコイル（inductively coupled wire coils）の少なくとも１つが挙げられる。例示的な変圧器として、これらに限定されないが、単独またはその他の構造と組み合わせて、電圧、電流、位相、またはその他の電気特性と共に、１つの回路からもう１つ別の回路に電気エネルギーを移動させる装置が挙げられる。
【００４７】
本明細書および添付の請求項に使用されるように、冠詞「ａ」、「ａｎ」、および「ｔｈｅ」は、１つの指示対象に明示的および明解に限定しない限り、複数の指示対象を含む。
【００４８】
本明細書の数値の範囲は、全数値および記述される数値の範囲内の全数値を含む。
【００４９】
本発明はエストリド化合物、組成物、その化合物の作製方法に関する。ある態様ではまた、本発明はエストリド化合物、エストリド化合物を含む組成物、当該化合物の合成、および当該組成物の製剤に関する。ある態様では、本発明は酸化安定性および流動点等のその他の特性を保持するまたは向上させもする一方で、所望の粘度特性を有する生合成のエストリド類に関する。ある態様では、このような特性を示すエストリド化合物を調製する新しい方法を提供する。本発明はまた、あるエストリド化合物を含む誘電性流体および電気装置に関する。
【００５０】
ある態様では、誘電性流体は式Ｉのエストリド化合物を少なくとも１つ含み、
【００５１】
【化４】
2014532254.tif 000006
【００５２】
ここで、
ｘはそれぞれ、独立して０、１、２、３、４、５、６、７、８、９、１０、１１、１２、１３、１４、１５、１６、１７、１８、１９、および２０から選択される整数であり、
ｙは独立して０、１、２、３、４、５、６、７、８、９、１０、１１、１２、１３、１４、１５、１６、１７、１８、１９、および２０から選択される整数であり、
ｎは０、１、２、３、４、５、６、７、８、９、１０、１１、および１２から選択される整数であり、
Ｒ１は飽和または不飽和の、および分岐または非分岐の、置換されていてもよいアルキルであり、および
Ｒ２は水素および飽和または不飽和の、および分岐または非分岐の、置換されていてもよいアルキルから選択され、
少なくとも１つの該化合物の脂肪酸鎖の残基のそれぞれが、独立して置換されていてもよい。
【００５３】
ある態様では、誘電性流体は式ＩＩのエストリド化合物を少なくとも１つ含み、
【００５４】
【化５】
2014532254.tif 000007
【００５５】
ここで、
ｍは１より大きい、または、に等しい整数であり、
ｎは０より大きい、または、に等しい整数であり、
Ｒ１はそれぞれ、独立して飽和または不飽和の、および分岐または非分岐の、置換されていてもよいアルキルであり、
Ｒ２は水素および飽和または不飽和の、および分岐または非分岐の、置換されていてもよいアルキルから選択され、
Ｒ３およびＲ４はそれぞれ、独立して飽和または不飽和の、および分岐または非分岐の、置換されていてもよいアルキルから選択される。
【００５６】
ある態様では、誘電性流体は式ＩＩＩのエストリド化合物を少なくとも１つ含み、
【００５７】
【化６】
2014532254.tif 000008
【００５８】
ここで、
ｘはそれぞれ、独立して０〜２０から選択される整数であり、
ｙはそれぞれ、独立して０〜２０から選択される整数であり、
ｎは０より大きい、または、に等しい整数であり、
Ｒ１は飽和または不飽和の、および分岐または非分岐の、置換されていてもよいアルキルであり、
Ｒ２は飽和または不飽和の、および分岐または非分岐の、置換されていてもよいアルキルであり、
少なくとも１つの該化合物の脂肪酸鎖の残基のそれぞれが、独立して置換されていてもよい。
【００５９】
ある態様では、誘電性流体は、Ｒ１が水素である式Ｉ、ＩＩ、またはＩＩＩの少なくとも１つのエストリド化合物を含む。
【００６０】
用語「鎖」または「脂肪酸鎖」または「脂肪酸鎖の残基」は、式Ｉ、ＩＩ、およびＩＩＩのエストリド化合物に関して使用するとき、エストリド化合物に組み込まれる１つ以上の脂肪酸の残基を意味し、例えば、式ＩＩのＲ３若しくはＲ４、または式ＩおよびＩＩＩ内のＣＨ３（ＣＨ２）ｙＣＨ（ＣＨ２）ｘＣ（Ｏ）Ｏ−によって表される構造である。
【００６１】
表される各式の頂部の式Ｉ、ＩＩ、およびＩＩＩのＲ１は、エストリドの頂部を「キャップする」ように、「キャップ」または「キャッピング材料」を意味してもよいものの例である。同様に、キャッピング基は一般式ＯＣ（Ｏ）−アルキル、いわゆる置換若しくは非置換の、飽和若しくは不飽和の、および／または本明細書に記載の分岐若しくは非分岐のアルキルのカルボン酸、またはギ酸残基の有機酸残基であってもよい。ある態様では、「キャップ」または「キャッピング基」は、脂肪酸である。ある態様では、キャッピング基は、大きさに関係なく、置換若しくは非置換の、飽和若しくは不飽和の、および／または分岐若しくは非分岐である。キャップまたはキャッピング材料は、主鎖またはアルファ（α）鎖として意味してもよい。
【００６２】
エストリドが合成される様式に依存して、キャップまたはキャッピング基アルキルは、得られる不飽和のエストリド中の有機酸残基からのアルキルだけであってもよい。ある態様では、エストリドの全体的な飽和を高め、および／または得られるエストリドの安定性を高めるために、飽和有機または脂肪酸キャップを使用することが望まれる可能性がある例えば、ある態様では、当業者が利用できる任意の適切な方法を使用して、不飽和のキャップを水素化することによって飽和されキャップされたエストリドを提供する方法を提供することが望まれる可能性がある水素化は、一および／または多不飽和脂肪酸を含みもよい脂肪酸フィードストックの種々の資源と共に使用されてもよい。いかなる具体的な理論に縛られることなく、エストリドを水素化することが分子の全体的な安定性を向上することを助ける可能性がある。しかしながら、より大きい脂肪酸キャップの付いたエストリド等の完全に水素化されたエストリドは、流動点を増加しる可能性がある態様では、もっと短い飽和キャッピング材料を使用することによって、所望の流動点の特徴のいかなる損失も相殺することが望まれる可能性がある。
【００６３】
式ＩＩのＲ４Ｃ（Ｏ）Ｏ−または式ＩおよびＩＩＩの構造ＣＨ３（ＣＨ２）ｙＣＨ（ＣＨ２）ｘＣ（Ｏ）Ｏ−はエストリドの「塩基」または「塩基鎖残基」として与える。エストリドが合成される様式に依存して、塩基有機酸または脂肪酸残基は、エストリドが最初に合成された後に遊離酸の形式に保持される残基だけであってもよい。しかしながら、ある態様では、エストリドの特性を変えるまたは向上させるために、遊離酸を任意の数の置換基と反応させてもよい。例えば、遊離酸エストリドをアルコール類、グリコール類、アミン類、またはその他の適切な反応物質と反応させ、対応するエステル、アミドまたはその他の反応生成物を提供することが望まれる可能性がある塩基または塩基鎖残基は、三級またはガンマ（γ）鎖として意味してもよい。
【００６４】
式ＩＩのＲ３Ｃ（Ｏ）Ｏ−または式ＩおよびＩＩＩの構造ＣＨ３（ＣＨ２）ｙＣＨ（ＣＨ２）ｘＣ（Ｏ）Ｏ−はキャッピング材料および塩基脂肪酸残基を一緒に結合する結合残基である。ｎ＝０およびエストリドが二量体の形にあるときを含み、エストリド内に任意の数の結合残基があってもよい。エストリドが調製される様式に依存して、結合塩基は脂肪酸であっても、合成中に不飽和形式に最初はあってもよい。いくつかの態様では、触媒を使用し、不飽和の脂肪酸部位にカルボカチオンを産生し、次にもう１つ別の脂肪酸のカルボン酸基によるカルボカチオンに求核攻撃をするときに、エストリドが形成される。いくつかの態様では、脂肪酸が一緒に結合するときに、不飽和の全部位が除去されるように、一不飽和される結合脂肪酸を有することが望まれる可能性がある結合残基（複数可）は２級またはベータ（β）鎖として意味してもよい。
【００６５】
ある態様では、キャップはアセチル基であり、結合残基（複数可）は１つ以上の脂肪酸残基であり、塩基鎖残基は脂肪酸残基である。ある態様では、エストリドに存在する結合残基は互いに異なる。ある態様では、１つ以上の結合残基は塩基鎖残基と異なる。
【００６６】
上述のように、ある態様では、適切な不飽和脂肪酸は、エストリドを調製するために任意の一または多不飽和脂肪酸を含んでいてもよい。例えば、一不飽和脂肪酸は、適切な触媒と一緒に、第２の脂肪酸を加えることのできる単一のカルボカチオンを形成し、それによって２つの脂肪酸の間に単一の結合が形成される。適切な一不飽和脂肪酸として、、これらに限定されないが、パルミトオレイン酸（１６：１）、バクセン酸（１８：１）、オレイン酸（１８：１）、エイコセン酸（２０：１）、エルシン酸（２２：１）、およびネルボン酸（２４：１）が挙げられる。更に、ある態様では、多不飽和脂肪酸を使用してエストリドを作製してもよい。適切な多不飽和脂肪酸として、、これらに限定されないが、ヘキサデカトリエン酸（１６：３）、アルファ−リノレン酸（１８：３）、ステアリドン酸（１８：４）、エイコサトリエン酸（２０：３）、エイコサテトラエン酸（２０：４）、エイコサペンタエン酸（２０：５）、ヘンエイコサペンタエン酸（２１：５）、ドコサペンタエン酸（２２：５）、ドコサヘキサエン酸（２２：６）、テトラコサペンタエン酸（２４：５）、テトラコサヘキサエン酸（２４：６）、リノール酸（１８：２）、ガンマ−リノール酸（１８：３）、エイコサジエン酸（２０：２）、ジホモ−ガンマ−リノレン酸（２０：３）、アラキドン酸（２０：４）、ドコサジエン酸（２０：２）、アドレン酸（２２：４）、ドコサペンタエン酸（２２：５）、テトラコサテトラエン酸（２２：４）、テトラコサペンタエン酸（２４：５）、ピノレン酸（１８：３）、ポドカルプ酸（２０：３）、ルメン酸（１８：２）、アルファ−カレンド酸（１８：３）、ベータ−カレンド酸（１８：３）、ジャカル酸（１８：３）、エレオステアリン酸（１８：３）、ベータ−エレオステアリン（１８：３）、カタルプ酸（１８：３）、プニカ酸（１８：３）、ルメレン酸（１８：３）、アルファ−パリナル酸（１８：４）、ベータ−パリナル酸（１８：４）、およびボッセオペンタエン酸（２０：５）が挙げられる。ある態様では、ヒドロキシ脂肪酸は、１つの脂肪酸のカルボン酸官能性を第２の脂肪酸のヒドロキシ官能性と反応させることによって、重合化または単一重合体化されてもよい。例示的なヒドロキシル脂肪酸として、、これらに限定されないが、リシノール酸、６−ヒドロキシステアリン酸、９，１０−ジヒドロキシステアリン酸、１２−ヒドロキシステアリン酸、および１４−ヒドロキシステアリン酸が挙げられる。
【００６７】
本明細書に記載のエストリド化合物を調製するための方法は、天然または合成脂肪酸源を使用することを含む。しかしながら、再生可能な生物学的フィードストックから脂肪酸を得ることが望まれる可能性がある。例えば、適切な生物学起源の出発材料として、これらに限定されないが、植物性油脂、植物性油、植物性ワックス、動物性油脂、動物性油、動物性ワックス、魚類性油脂、魚類性油、魚類性ワックス、藻類油および２つ以上の混合物が挙げられる。その他の可能性としてある脂肪酸源として、これらに限定されないが、廃棄およびリサイクルされた植物級の油脂および油、遺伝子工学によって得られる油脂、油、およびワックス、化石燃料をベースとする材料が挙げられ、その他の材料源が望まれる。
【００６８】
いくつかの態様では、エストリド化合物は種々の長さの脂肪酸鎖を含む。いくつかの態様では、ｘはそれぞれ、独立して０〜２０、０〜１８、０〜１６、０〜１４、１〜１２、１〜１０、２〜８、６〜８、または４〜６から選択される整数である。いくつかの態様では、ｘはそれぞれ、独立して７〜８から選択される整数である。いくつかの態様では、ｘはそれぞれ、独立して０、１、２、３、４、５、６、７、８、９、１０、１１、１２、１３、１４、１５、１６、１７、１８、１９、および２０から選択される整数である。
【００６９】
いくつかの態様では、ｙはそれぞれ独立して、０〜２０、０〜１８、０〜１６、０〜１４、１〜１２、１〜１０、２〜８、６〜８、または４〜６から選択される整数である。いくつかの態様では、ｙはそれぞれ独立して、７および８から選択される整数である。いくつかの態様では、ｙはそれぞれ、独立して０、１、２、３、４、５、６、７、８、９、１０、１１、１２、１３、１４、１５、１６、１７、１８、１９、および２０から選択される。
【００７０】
いくつかの態様では、ｘ＋ｙは各鎖について、独立して０〜４０、０〜２０、１０〜２０、または１２〜１８から選択される整数である。いくつかの態様では、ｘ＋ｙは各鎖について、独立して１３〜１５から選択される整数である。いくつかの態様では、ｘ＋ｙは１５である。いくつかの態様では、ｘ＋ｙは各鎖について、独立して６、７、８、９、１０、１１、１２、１３、１４、１５、１６、１７、１８、１９、２０、２１、２２、２３、および２４から選択される整数である。
【００７１】
いくつかの態様では、式Ｉ、ＩＩ、またはＩＩＩのエストリド化合物は任意の数の脂肪酸残基を含み、「ｎ量体」エストリドを形成してもよい。例えば、エストリドは二量体（ｎ＝０）、三量体（ｎ＝１）、四量体（ｎ＝２）、五量体（ｎ＝３）、六量体（ｎ＝４）、七量体（ｎ＝５）、八量体（ｎ＝６）、九量体（ｎ＝７）、または十量体（ｎ＝８）形式にあってもよい。いくつかの態様では、ｎは０〜２０、０〜１８、０〜１６、０〜１４、０〜１２、０〜１０、０〜８、または０〜６から選択される整数である。いくつかの態様では、ｎは０〜４から選択される整数である。いくつかの態様では、ｎは１であり、式Ｉ、ＩＩ、またはＩＩＩの当該化合物の少なくとも１つは三量体を含む。いくつかの態様では、ｎは１より大きい。いくつかの態様では、ｎは０、１、２、３、４、５、６、７、８、９、１０、１１、１２、１３、１４、１５、１６、１７、１８、１９、および２０から選択される整数である。
【００７２】
いくつかの態様では、式Ｉ、ＩＩ、またはＩＩＩのＲ１は飽和または不飽和の、および分岐または非分岐の、置換されていてもよいアルキルであってもよい。いくつかの態様では、アルキル基はＣ１〜Ｃ４０アルキル、Ｃ１〜Ｃ２２アルキルまたはＣ１〜Ｃ１８アルキルである。いくつかの態様では、アルキル基はＣ７〜Ｃ１７アルキルから選択される。いくつかの態様では、Ｒ１はＣ７アルキル、Ｃ９アルキル、Ｃ１１アルキル、Ｃ１３アルキル、Ｃ１５アルキル、およびＣ１７アルキルから選択される。いくつかの態様では、Ｒ１はＣ１３アルキル、Ｃ１５アルキル、およびＣ１７アルキル等のＣ１３〜Ｃ１７アルキルから選択される。いくつかの態様では、Ｒ１はＣ１、Ｃ２、Ｃ３、Ｃ４、Ｃ５、Ｃ６、Ｃ７、Ｃ８、Ｃ９、Ｃ１０、Ｃ１１、Ｃ１２、Ｃ１３、Ｃ１４、Ｃ１５、Ｃ１６、Ｃ１７、Ｃ１８、Ｃ１９、Ｃ２０、Ｃ２１、またはＣ２２アルキルである。
【００７３】
いくつかの態様では、式Ｉ、ＩＩ、またはＩＩＩのＲ２は飽和または不飽和の、および分岐または非分岐の、置換されていてもよいアルキルであってもよい。いくつかの態様では、アルキル基はＣ１〜Ｃ４０アルキル、Ｃ１〜Ｃ２２アルキルまたはＣ１〜Ｃ１８アルキルである。いくつかの態様では、アルキル基はＣ７〜Ｃ１７アルキルから選択される。いくつかの態様では、Ｒ２はＣ７アルキル、Ｃ９アルキル、Ｃ１１アルキル、Ｃ１３アルキル、Ｃ１５アルキルおよびＣ１７アルキルから選択される。いくつかの態様では、Ｒ２はＣ１３アルキル、Ｃ１５アルキル、およびＣ１７アルキル等のＣ１３〜Ｃ１７アルキルから選択される。いくつかの態様では、Ｒ２はＣ１、Ｃ２、Ｃ３、Ｃ４、Ｃ５、Ｃ６、Ｃ７、Ｃ８、Ｃ９、Ｃ１０、Ｃ１１、Ｃ１２、Ｃ１３、Ｃ１４、Ｃ１５、Ｃ１６、Ｃ１７、Ｃ１８、Ｃ１９、Ｃ２０、Ｃ２１、またはＣ２２アルキルである。
【００７４】
いくつかの態様では、Ｒ３は飽和または不飽和の、および分岐または非分岐の、置換されていてもよいアルキルであってもよい。いくつかの態様では、アルキル基はＣ１〜Ｃ４０アルキル、Ｃ１〜Ｃ２２アルキルまたはＣ１〜Ｃ１８アルキルである。いくつかの態様では、アルキル基はＣ７〜Ｃ１７アルキルから選択される。いくつかの態様では、Ｒ３はＣ７アルキル、Ｃ９アルキル、Ｃ１１アルキル、Ｃ１３アルキル、Ｃ１５アルキル、およびＣ１７アルキルから選択される。いくつかの態様では、Ｒ３はＣ１３アルキル、Ｃ１５アルキル、およびＣ１７アルキル等のＣ１３〜Ｃ１７アルキルから選択される。いくつかの態様では、Ｒ３はＣ１、Ｃ２、Ｃ３、Ｃ４、Ｃ５、Ｃ６、Ｃ７、Ｃ８、Ｃ９、Ｃ１０、Ｃ１１、Ｃ１２、Ｃ１３、Ｃ１４、Ｃ１５、Ｃ１６、Ｃ１７、Ｃ１８、Ｃ１９、Ｃ２０、Ｃ２１、またはＣ２２アルキルである。
【００７５】
いくつかの態様では、Ｒ４は飽和または不飽和の、および分岐または非分岐の、置換されていてもよいアルキルであってもよい。いくつかの態様では、アルキル基はＣ１〜Ｃ４０アルキル、Ｃ１〜Ｃ２２アルキルまたはＣ１〜Ｃ１８アルキルである。いくつかの態様では、アルキル基はＣ７〜Ｃ１７アルキルから選択される。いくつかの態様では、Ｒ４はＣ７アルキル、Ｃ９アルキル、Ｃ１１アルキル、Ｃ１３アルキル、Ｃ１５アルキル、およびＣ１７アルキルから選択される。いくつかの態様では、Ｒ４はＣ１３アルキル、Ｃ１５アルキル、およびＣ１７アルキル等のＣ１３〜Ｃ１７アルキルから選択される。いくつかの態様では、Ｒ４はＣ１、Ｃ２、Ｃ３、Ｃ４、Ｃ５、Ｃ６、Ｃ７、Ｃ８、Ｃ９、Ｃ１０、Ｃ１１、Ｃ１２、Ｃ１３、Ｃ１４、Ｃ１５、Ｃ１６、Ｃ１７、Ｃ１８、Ｃ１９、Ｃ２０、Ｃ２１、またはＣ２２アルキルである。
【００７６】
上述のように、ある態様では、Ｒ１の長さおよび／または飽和の程度を変えることによって１つ以上のエストリドの特性を操作することが可能であってもよい。しかしながら、ある態様では、Ｒ１の置換のレベルを変えて、エストリドの特性を変化させるまたは向上させる可能性がある、いかなる具体的な理論に縛られることなく、ある態様では、１つ以上のヒドロキシ基等のＲ１の極性置換基の存在が、流動点を増加させる一方で、エストリドの粘度を増加させ得ることが考えられる。したがって、いくつかの態様では、Ｒ１はヒドロキシルでない基に非置換または置換されていてもよい。
【００７７】
いくつかの態様では、エストリドは遊離酸形式にあり、式Ｉ、ＩＩ、またはＩＩＩのＲ２は水素である。いくつかの態様では、Ｒ２は飽和または不飽和の、および分岐または非分岐の、置換されていてもよいアルキルから選択される。ある態様では、Ｒ２残基は、本明細書に識別されるアルコール類でエストリドをエステル化することに由来する基等の任意の所望のアルキル基を含んでいてもよい。いくつかの態様では、アルキル基はＣ１〜Ｃ４０、Ｃ１〜Ｃ２２、Ｃ３〜Ｃ２０、Ｃ１〜Ｃ１８、またはＣ６〜Ｃ１２アルキルから選択される。いくつかの態様では、Ｒ２はＣ３アルキル、Ｃ４アルキル、Ｃ８アルキル、Ｃ１２アルキル、Ｃ１６アルキル、Ｃ１８アルキル、およびＣ２０アルキルから選択されてもよい。例えば、ある態様では、Ｒ２はイソプロピル、イソブチル、または２−エチルヘキシル等に分岐されてもよい。いくつかの態様では、Ｒ２はＣ１２アルキル、Ｃ１６アルキル、Ｃ１８アルキル、またはＣ２０アルキルを含む分岐または非分岐のもっと大きいアルキル基であってもよい。Ｒ２位のこのような基は、Ｊａｒｃｏｌ（商標）Ｉ−１８ＣＧ、Ｉ−２０、Ｉ−１２、Ｉ−１６、Ｉ−１８Ｔ、および８５ＢＪを含むJarchem Industries社（ニューアーク、ニュージャージー州）によって市販されているアルコール類のＪａｒｃｏｌ（商標）ラインを使用して遊離酸エストリドのエステル化に由来してもよい。いくつかの場合では、Ｒ２はあるアルコール類を源にして、イソステアリールおよびイソパルミチル等の分岐アルキルを提供してもよい。このようなイソパルミチルおよびイソステアリールがＣ１６およびＣ１８の任意の分岐のバリエーションを網羅し得ることが理解されたい。例えば、本明細書に記載のエストリド類は、Fineoxocol（登録商標）１８０、１８０Ｎ、および１６００を含むNissan Chemical America Corporation（ニューストン、テキサス州）によって市販されているイソパルミチルおよびイソステアリールアルコール類のFineoxocol（登録商標）ラインに由来するＲ２位の高分岐イソパルミチルまたはイソステアリール基を含んでいてもよい。いかなる具体的な理論に縛られることなく、ある態様では、エストリド類のＲ２位の大きく、高分岐のアルキル基（例えばイソパルミチルおよびイソステアリール）が、流動点を実質的に保持し、または減少させもする一方で、エストリドを含有する組成物の粘度を高める少なくとも１つの方法を提供することができる。
【００７８】
いくつかの態様では、本明細書に記載される化合物は式Ｉ、ＩＩ、およびＩＩＩの２つ以上のエストリド化合物の混合物を含んでいてもよい。化合物若しくは組成物の化合物、混合物または組成物の測定されたエストリド数（ＥＮ）を使用することによって、エストリド、エストリドの混合物、またはエストリドを含む組成物の化学的構造を特徴付けることが可能である。ＥＮは塩基脂肪酸に加えられる脂肪酸の平均数を表す。ＥＮはまた、分子ごとのエストリド結合の平均数も表す。
ＥＮ＝ｎ＋１
ｎは二級ベータ（β）脂肪酸の数である。したがって、単一のエストリド化合物は、例えば二量体、三量体、および四量体についての整数であるＥＮを有する。
二量体ＥＮ＝１
三量体ＥＮ＝２
四量体ＥＮ＝３
【００７９】
しかしながら、２つ以上のエストリド化合物を含む組成物は整数または一部分の整数であるＥＮを有する。例えば、二量体と三量体の分子比が１：１である組成物のＥＮは１．５であり、一方では、四量体と三量体の分子比が１：１である組成物のＥＮは２．５である。
【００８０】
いくつかの態様では、組成物は、４．５または５．０より大きい整数または整数の分数であるＥＮを有する２つ以上のエストリドの混合物を含んでいてもよい。いくつかの態様では、ＥＮは約１．０および約５．０から選択される整数または整数の分数であってもよい。いくつかの態様では、ＥＮは約１．２および約４．５から選択される整数または整数の分数である。いくつかの態様では、ＥＮは１．０、１．２、１．４、１．６、１．８、２．０、２．２、２．４、２．６、２．８、３．０、３．２、３．４、３．６、３．８、４．０、４．２、４．４、４．６、４．８、５．０、５．２、５．４、５．６および５．８より大きい値から選択される。いくつかの態様では、ＥＮは１．２、１．４、１．６、１．８、２．０、２．２、２．４、２．６、２．８、３．０、３．２、３．４、３．６、３．８、４．０、４．２、４．４、４．６、４．８、並びに５．０、５．２、５．４、５．６、５．８、および６．０より小さい値から選択される。いくつかの態様では、ＥＮは１、１．２、１．４、１．６、１．８、２．０、２．２、２．４、２．６、２．８、３．０、３．２、３．４、３．６、３．８、４．０、４．２、４．４、４．６、４．８、５．０、５．２、５．４、５．６、５．８、および６．０から選択される。
【００８１】
上述のように、エストリド化合物の鎖は独立して置換されていてもよく、１つ以上の水素が除去され、本明細書に識別される置換基の１つ以上に置換されると理解されるべきである。同様に、水素の残基の２つ以上が除去され、シスまたはトランス二重結合等の不飽和の１つ以上の部位を提供してもよい。更に、鎖は分岐炭化水素の残基を含んでいてもよい。例えば、いくつかの態様では、本明細書に記載されるエストリドは式ＩＩの化合物を少なくとも１つ含んでいてもよい。
【００８２】
【化７】
2014532254.tif 000009
【００８３】
ここで、
ｍは１以上の整数であり、
ｎは０以上の整数であり、
Ｒ１はそれぞれ独立して、飽和または不飽和の、および分岐または非分岐の、置換されていてもよいアルキルであり、
Ｒ２は水素および飽和または不飽和の、および分岐または非分岐の、置換されていてもよいアルキルから選択され、および
Ｒ３およびＲ４はそれぞれ独立して、飽和または不飽和の、および分岐または非分岐の、置換されていてもよいアルキルから選択される。
【００８４】
ある態様では、ｍは１である。いくつかの態様では、ｍは２、３、４、および５から選択される整数である。いくつかの態様では、ｎは１、２、３、４、５、６、７、８、９、１０、１１、および１２から選択される整数である。いくつかの態様では、１つ以上のＲ３は式ＩＩの化合物の１つ以上のその他のＲ３と異なる。いくつかの態様では、１つ以上のＲ３は式ＩＩの化合物のＲ４と異なる。いくつかの態様では、式ＩＩの化合物が１つ以上の多不飽和脂肪酸から調製されるならば、Ｒ３およびＲ４の１つ以上は不飽和の１つ以上の部位を有する可能性がある。いくつかの態様では、式ＩＩの化合物が１つ以上の分岐脂肪酸から調製されるならば、Ｒ３およびＲ４の１つ以上は分岐される可能性がある。
【００８５】
いくつかの態様では、Ｒ３およびＲ４はＣＨ３（ＣＨ２）ｙＣＨ（ＣＨ２）ｘ−であってもよく、ｘはそれぞれ、独立して０、１、２、３、４、５、６、７、８、９、１０、１１、１２、１３、１４、１５、１６、１７、１８、１９、および２０から選択される整数であり、ｙはそれぞれ、独立して０、１、２、３、４、５、６、７、８、９、１０、１１、１２、１３、１４、１５、１６、１７、１８、１９、および２０から選択される整数である。Ｒ３とＲ４の両方がＣＨ３（ＣＨ２）ｙＣＨ（ＣＨ２）ｘである場合、化合物は式ＩおよびＩＩＩに記載の化合物であってもよい。
【００８６】
いかなる具体的な理論に縛られることなく、ある態様では、ＥＮを変えることが、流動点を実質的に保持するまたは減少する一方で、所望の粘度特性を有するエストリド含有組成物を産生する。例えばいくつかの態様では、エストリドはＥＮ値が増加させると流動点が減少する。したがって、ある態様では、基油のＥＮを増加させることによってエストリド基油の流動点を保持するまたは減少させるための方法を提供し、または基油のＥＮを増加させることによってエストリド基油を含む組成物の流動点を保持するまたは減少させるための方法を提供する。いくつかの態様では、方法には以下を含む。最初のＥＮおよび最初の流動点を有するエストリド基油を選択し、少なくとも一部の基油を除去し、当該部分のＥＮは最初のＥＮより小さく、得られるエストリド基油のＥＮは基油の最初のＥＮより大きく、および流動点は基油の最初の流動点以下である。いくつかの態様では、選択されるエストリド基油は、少なくとも１つの第２の不飽和脂肪酸および／または飽和脂肪酸で少なくとも１つの第１の不飽和脂肪酸をオリゴマー形成することによって、調製される。いくつかの態様では、基油の少なくとも一部分または２つ以上のエストリド化合物を含む組成物の除去は、蒸留、クロマトグラフィー、膜分離、相分離、アフィニティー分離、および溶媒抽出の少なくとも１つを使用することによって達成される。いくつかの態様では、蒸留は、２つ以上のエストリド化合物を含むエストリド基油または組成物をＥＮ値が独立して異なる種々の「カット」に分離するのに適した温度および／または圧で行われる。いくつかの態様では、これは、基油または２つ以上のエストリド化合物を含む組成物を少なくとも約２５０℃の温度および約２５ミクロン以下の絶対圧に供することによって達成される可能性があるいくつかの態様では、蒸留は約２５０℃〜約３１０℃の温度範囲、および約１０ミクロン〜約２５ミクロンの絶対圧の範囲で行われる。
【００８７】
いくつかの態様では、エストリド化合物および組成物は、約１．０〜約２．０から選択される整数または整数の分数等の１より大きいまたは等しいＥＮを示す。いくつかの態様では、ＥＮは約１．０〜約１．６から選択される整数または整数の分数である。いくつかの態様では、ＥＮは約１．１〜約１．５から選択される整数または整数の分数である。いくつかの態様では、ＥＮは１．０、１．１、１．２、１．３、１．４、１．５、１．６、１．７、１．８、および１．９より大きい値から選択される。いくつかの態様では、ＥＮは１．１、１．２、１．３、１．４、１．５、１．６、１．７、１．８、１．９、および２．０より小さい値から選択される。
【００８８】
いくつかの態様では、ＥＮは約１．８〜約２．８から選択される整数または整数の分数等の１．５より大きいまたは等しい。いくつかの態様では、ＥＮは約２．０〜約２．６から選択される整数または整数の分数である。いくつかの態様では、ＥＮは約２．１〜約２．５から選択される整数または整数の分数である。いくつかの態様では、ＥＮは１．８、１．９、２．０、２．１、２．２、２．３、２．４、２．５、２．６、および２．７より大きい値から選択される。いくつかの態様では、ＥＮは１．９、２．０、２．１、２．２、２．３、２．４、２．５、２．６、２．７、および２．８より小さい値から選択される。いくつかの態様では、ＥＮは約１．８、２．０、２．２、２．４、２．６、または２．８である。
【００８９】
いくつかの態様では、ＥＮは約４．０〜約５．０から選択される整数または整数の分数等の４より大きいまたは等しい。いくつかの態様では、ＥＮは約４．２〜約４．８から選択される整数の分数である。いくつかの態様では、ＥＮは約４．３〜約４．７から選択される整数の分数である。いくつかの態様では、ＥＮは４．０、４．１、４．２、４．３、４．４、４．５、４．６、４．７、４．８、および４．９より大きい値から選択される。いくつかの態様では、ＥＮは４．１、４．２、４．３、４．４、４．５、４．６、４．７、４．８、４．９、および５．０より小さい値から選択される。いくつかの態様では、ＥＮは約４．０、４．２、４．４、４．６、４．８、または５．０である。
【００９０】
いくつかの態様では、ＥＮは約５．０〜約６．０から選択される整数または整数の分数等の約５より大きいまたは等しい。いくつかの態様では、ＥＮは約５．２〜約５．８から選択される整数の分数である。いくつかの態様では、ＥＮは約５．３〜約５．７から選択される整数の分数である。いくつかの態様では、ＥＮは５．０、５．１、５．２、５．３、５．４、５．５、５．６、５．７、５．８、および５．９より大きい値から選択される。いくつかの態様では、ＥＮは５．１、５．２、５．３、５．４、５．５、５．６、５．７、５．８、５．９および６．０より小さい値から選択される。いくつかの態様では、ＥＮは約５．０、５．２、５．４、５．６、５．８、または６．０である。
【００９１】
いくつかの態様では、ＥＮは約１．０〜約２．０から選択される整数または整数の分数等の１より大きいまたは等しい。いくつかの態様では、ＥＮは約１．１〜約１．７から選択される整数の分数である。いくつかの態様では、ＥＮは約１．１〜約１．５から選択される整数の分数である。いくつかの態様では、ＥＮは１．０、１．１、１．２、１．３、１．４、１．５、１．６、１．７、１．８、または１．９より大きい値から選択される。いくつかの態様では、ＥＮは１．２、１．３、１．４、１．５、１．６、１．７、１．８、１．９、または２．０より小さい値から選択される。いくつかの態様では、ＥＮは約１．０、１．２、１．４、１．６、１．８、または２．０である。いくつかの態様では、ＥＮは約１．２〜約２．２から選択される整数または整数の分数等の１より大きいまたは等しい。いくつかの態様では、ＥＮは約１．４〜約２．０から選択される整数または整数の分数である。いくつかの態様では、ＥＮは約１．５〜約１．９から選択される整数または整数の分数である。いくつかの態様では、ＥＮは１．０、１．１、１．２、１．３、１．４、１．５、１．６、１．７、１．８、１．９、２．０、および２．１より大きい値から選択される。いくつかの態様では、ＥＮは１．２、１．３、１．４、１．５、１．６、１．７、１．８、１．９、２．０、２．１、および２．２より小さい値から選択される。いくつかの態様では、ＥＮは約１．０、１．２、１．４、１．６、１．８、２．０、または２．２である。
【００９２】
いくつかの態様では、ＥＮは約２．８〜約３．８から選択される整数または整数の分数等の２より大きいまたは等しい。いくつかの態様では、ＥＮは約２．９〜約３．５から選択される整数または整数の分数である。いくつかの態様では、ＥＮは約３．０〜約３．４から選択される整数または整数の分数である。いくつかの態様では、ＥＮは２．０、２．１、２．２、２．４、２．５、２．６、２．７、２．８、２．９、３．０、３．１、３．４、３．５、３．６、および３．７より大きい値から選択される。いくつかの態様では、ＥＮは２．２、２．３、２．４、２．５、２．６、２．７、２．８、２．９、３．０、３．１、３．２、３．３、３．４、３．５、３．６、３．７、および３．８より小さい値から選択される。いくつかの態様では、ＥＮは約２．０、２．２、２．４、２．６、２．８、３．０、３．２、３．４、３．６、または３．８である。典型的に、素材およびエストリドを含有する組成物はある潤滑性、粘度、および／または流動点の特徴を示す。例えば、ある態様では、基油、化合物、および組成物は、４０℃で約１０ｃＳｔ〜約２５０ｃＳｔの範囲の粘度、および／または１００℃で約３ｃＳｔ〜約３０ｃＳｔの範囲内にあってもよい。いくつかの態様では、基油、化合物、および組成物は４０℃で約５０ｃＳｔ〜約１５０ｃＳｔ、および／または１００℃で約１０ｃＳｔ〜約２０ｃＳｔの範囲内にあってもよい。
【００９３】
いくつかの態様では、エストリド化合物および組成物の粘度は４０℃では約５５ｃＳｔより小さくてもよく、または４０℃では約４５ｃＳｔより小さくてもよく、および／または１００℃では約１２ｃＳｔより小さくてもよく、または１００℃では約１０ｃＳｔより小さくてもよい。いくつかの態様では、エストリド化合物および組成物の粘度は、４０℃では約２５ｃＳｔ〜約５５ｃＳｔの範囲内にあってもよく、および／または１００℃では約５ｃＳｔ〜約１１ｃＳｔの範囲内にあってもよい。いくつかの態様では、エストリド化合物および組成物の粘度は、４０℃では約３５ｃＳｔ〜約４５ｃＳｔの範囲内にあってもよく、および／または１００℃では約６ｃＳｔ〜約１０ｃＳｔの範囲内にあってもよい。いくつかの態様では、エストリド化合物および組成物の粘度は、４０℃では約３８ｃＳｔ〜約４３ｃＳｔの範囲内にあってもよく、１００℃では約７ｃＳｔ〜約９ｃＳｔの範囲内にあってもよい。
【００９４】
いくつかの態様では、エストリド化合物および組成物の粘度は４０℃では約１２０ｃＳｔより小さくてもよく、または４０℃では約１００ｃＳｔより小さくてもよく、および／または１００℃では約１８ｃＳｔより小さくてもよく、または１００℃では約１７ｃＳｔより小さくてもよい。いくつかの態様では、エストリド化合物および組成物の粘度は４０℃では約７０ｃＳｔ〜約１２０ｃＳｔの範囲内にあってもよく、および／または１００℃では約１２ｃＳｔ〜約１８ｃＳｔの範囲内にあってもよい。いくつかの態様では、エストリド化合物および組成物の粘度は４０℃では約８０ｃＳｔ〜約１００ｃＳｔの範囲内にあってもよく、および／または１００℃では約１３ｃＳｔ〜約１７ｃＳｔの範囲内にあってもよい。いくつかの態様では、エストリド化合物および組成物の粘度は４０℃では約８５ｃＳｔ〜約９５ｃＳｔの範囲内にあってもよく、および／または１００℃では約１４ｃＳｔ〜約１６ｃＳｔの範囲内にあってもよい。
【００９５】
エストリド化合物および組成物の粘度は４０℃では約１８０ｃＳｔより大きくてもよく、または４０℃では約２００ｃＳｔより大きくてもよく、および／または１００℃では約２０ｃＳｔより大きくてもよく、または１００℃では約２５ｃＳｔより大きくてもよい。いくつかの態様では、エストリド化合物および組成物の粘度は４０℃では約１８０ｃＳｔ〜約２３０ｃＳｔの範囲内にあってもよく、および／または１００℃では約２５ｃＳｔ〜約３１ｃＳｔの範囲内にあってもよい。いくつかの態様では、エストリド化合物および組成物の粘度は４０℃では約２００ｃＳｔ〜約２５０ｃＳｔの範囲内にあってもよく、および／または１００℃では約２５ｃＳｔ〜約３５ｃＳｔの範囲内にあってもよい。いくつかの態様では、エストリド化合物および組成物の粘度は４０℃では約２１０ｃＳｔ〜約２３０ｃＳｔの範囲内にあってもよく、および／または１００℃では約２８ｃＳｔ〜約３３ｃＳｔの範囲内にあってもよい。いくつかの態様では、エストリド化合物および組成物の粘度は４０℃では約２００ｃＳｔ〜約２２０ｃＳｔの範囲内にあってもよく、および／または１００℃では約２６ｃＳｔ〜約３０ｃＳｔの範囲内にあってもよい。いくつかの態様では、エストリド化合物および組成物の粘度は４０℃では約２０５ｃＳｔ〜約２１５ｃＳｔの範囲内にあってもよく、および／または１００℃では約２７ｃＳｔ〜約２９ｃＳｔの範囲内にあってもよい。
【００９６】
いくつかの態様では、エストリド化合物および組成物の粘度は４０℃では約４５ｃＳｔより小さくてもよく、または４０℃では約３８ｃＳｔより小さくてもよく、および／または１００℃では約１０ｃＳｔより小さくてもよく、または１００℃では約９ｃＳｔより小さくてもよい。いくつかの態様では、エストリド化合物および組成物の粘度は４０℃では約２０ｃＳｔ〜約４５ｃＳｔの範囲内にあってもよく、および／または１００℃では約４ｃＳｔ〜約１０ｃＳｔの範囲内にあってもよい。いくつかの態様では、エストリド化合物および組成物の粘度は４０℃では約２８ｃＳｔ〜約３８ｃＳｔの範囲内にあってもよく、および／または１００℃では約５ｃＳｔ〜約９ｃＳｔの範囲内にあってもよい。いくつかの態様では、エストリド化合物および組成物の粘度は４０℃では約３０ｃＳｔ〜約３５ｃＳｔの範囲内にあってもよく、および／または１００℃では約６ｃＳｔ〜約８ｃＳｔの範囲内にあってもよい。
【００９７】
いくつかの態様では、エストリド化合物および組成物の粘度は４０℃では約８０ｃＳｔより小さくてもよく、または４０℃では約７０ｃＳｔより小さくてもよく、および／または１００℃では約１４ｃＳｔより小さくてもよく、または１００℃では約１３ｃＳｔより小さくてもよい。いくつかの態様では、エストリド化合物および組成物の粘度は４０℃では約５０ｃＳｔ〜約８０ｃＳｔの範囲内にあってもよく、および／または１００℃では約８ｃＳｔ〜約１４ｃＳｔの範囲内にあってもよい。いくつかの態様では、エストリド化合物および組成物の粘度は４０℃では約６０ｃＳｔ〜約７０ｃＳｔの範囲内にあってもよく、および／または１００℃では約９ｃＳｔ〜約１３ｃＳｔの範囲内にあってもよい。いくつかの態様では、エストリド化合物および組成物の粘度は４０℃では約６３ｃＳｔ〜約６８ｃＳｔの範囲内にあってもよく、および／または１００℃では約１０ｃＳｔ〜約１２ｃＳｔの範囲内にあってもよい。
【００９８】
エストリド化合物および組成物の粘度は４０℃では約１２０ｃＳｔより大きくてもよく、または４０℃では約１３０ｃＳｔより大きくてもよく、および／または１００℃では約１５ｃＳｔより大きくてもよく、または１００℃では約１８ｃＳｔより大きくてもよい。いくつかの態様では、エストリド化合物および組成物の粘度は４０℃では約１２０ｃＳｔ〜約１５０ｃＳｔの範囲内にあってもよく、および／または１００℃では約１６ｃＳｔ〜約２４ｃＳｔの範囲内にあってもよい。いくつかの態様では、エストリド化合物および組成物の粘度は４０℃では約１３０ｃＳｔ〜約１６０ｃＳｔの範囲内にあってもよく、および／または１００℃では約１７ｃＳｔ〜約２８ｃＳｔの範囲内にあってもよい。いくつかの態様では、エストリド化合物および組成物の粘度は４０℃では約１３０ｃＳｔ〜約１４５ｃＳｔの範囲内にあってもよく、および／または１００℃では約１７ｃＳｔ〜約２３ｃＳｔの範囲内にあってもよい。いくつかの態様では、エストリド化合物および組成物の粘度は４０℃では約１３５ｃＳｔ〜約１４０ｃＳｔの範囲内にあってもよく、および／または１００℃では約１９ｃＳｔ〜約２１ｃＳｔの範囲内にあってもよい。いくつかの態様では、エストリド化合物および組成物の粘度は４０℃では１、２、３、４、５、６、７、８、９、１０、１１、１２、１３、１４、１５、１６、１７、１８、１９、２０、２１、２２、２３、２４、２５、２６、２７、２８、２９、３０、３２、３４、３６、３８、４０、４２、４４、４６、４８、５０、５５、６０、６５、７０、７５、８０、８５、９０、９５、１００、１１０、１２０、１３０、１４０、１５０、１６０、１７０、１８０、１９０、２００、２１０、２２０、２３０、２４０、２５０、２６０、２７０、２８０、２９０、３００、３５０、または４００ｃＳｔであってもよい。いくつかの態様では、エストリド化合物および組成物の粘度は１００℃では１、２、３、４、５、６、７、８、９、１０、１１、１２、１３、１４、１５、１６、１７、１８、１９、２０、２１、２２、２３、２４、２５、２６、２７、２８、２９、および３０ｃＳｔであってもよい。
【００９９】
いくつかの態様では、エストリド化合物および組成物の粘度は０℃では約２００、２５０、３００、３５０、４００、４５０、５００、または５５０ｃＳｔより小さくてもよい。いくつかの態様では、エストリド化合物および組成物の粘度は０℃では約２００ｃＳｔ〜約２５０ｃＳｔの範囲にあってもよい。いくつかの態様では、エストリド化合物および組成物の粘度は０℃では約２５０ｃＳｔ〜約３００ｃＳｔの範囲にあってもよい。いくつかの態様では、エストリド化合物および組成物の粘度は０℃では約３００ｃＳｔ〜約３５０ｃＳｔの範囲にあってもよい。いくつかの態様では、エストリド化合物および組成物の粘度は０℃では約３５０ｃＳｔ〜約４００ｃＳｔの範囲にあってもよい。いくつかの態様では、エストリド化合物および組成物の粘度は０℃では約４００ｃＳｔ〜約４５０ｃＳｔの範囲にあってもよい。いくつかの態様では、エストリド化合物および組成物の粘度は０℃では約４５０ｃＳｔ〜約５００ｃＳｔの範囲にあってもよい。いくつかの態様では、エストリド化合物および組成物の粘度は０℃では約５００ｃＳｔ〜約５５０ｃＳｔの範囲にあってもよい。いくつかの態様では、エストリド化合物および組成物の粘度は０℃では約１００、１２５、１５０、１７５、２００、２２５、２５０、２７５、３００、３２５、３５０、３７５、４００、４２５、４５０、４７５、５００、５２５、または５５０ｃＳｔであってもよい。
【０１００】
いくつかの態様では、エストリド化合物および組成物は所望の低温の流動点の特性を示してもよい。いくつかの態様では、エストリド化合物および組成物の流動点は約−２５℃、約−３５℃、−４０℃、または更に約−５０℃より低くてもよい。いくつかの態様では、エストリド化合物および組成物の流動点は約−２５℃〜約−４５℃である。いくつかの態様では、流動点は約−３０℃〜約−４０℃、約−３４℃〜約−３８℃、約−３０℃〜約−４５℃、−３５℃〜約−４５℃、３４℃〜約−４２℃、約−３８℃〜約−４２℃、または約３６℃〜約−４０℃の範囲内に低下する。いくつかの態様では、流動点は約−２７℃〜約−３７℃、または約−３０℃〜約−３４℃の範囲内に低下する。いくつかの態様では、流動点は約−２５℃〜約−３５℃、または約−２８℃〜約−３２℃の範囲内に低下する。いくつかの態様では、流動点は約−２８℃〜約−３８℃、または約−３１℃〜約−３５℃の範囲内に低下する。いくつかの態様では、流動点は約−３１℃〜約−４１℃、または約−３４℃〜約−３８℃の範囲内に低下する。いくつかの態様では、流動点は約−４０℃〜約−５０℃、または約−４２℃〜約−４８℃の範囲内に低下する。いくつかの態様では、流動点は約−５０℃〜約−６０℃、または約−５２℃〜約−５８℃の範囲内に低下する。いくつかの態様では、流動点の上限は約−３５℃、約−３６℃、約−３７℃、約−３８℃、約−３９℃、約−４０℃、約−４１℃、約−４２℃、約−４３℃、約−４４℃、または約−４５℃より低い。いくつかの態様では、流動点の下限は約−７０℃、約−６９℃、約−６８℃、約−６７℃、約−６６℃、約−６５℃、約−６４℃、約−６３℃、約−６２℃、約−６１℃、約−６０℃、約−５９℃、約−５８℃、約−５７℃、約−５６℃、−５５℃、約−５４℃、約−５３℃、約−５２℃、−５１、約−５０℃、約−４９℃、約−４８℃、約−４７℃、約−４６℃、または約−４５℃より高い。
【０１０１】
更に、ある態様では、エストリドは他の方法によって調製されたエストリドと比べてヨウ素価（ＩＶ）が減少していてもよい。ＩＶは油の全体的な不飽和の程度の測定値であり、エストリドのグラムあたりのヨウ素の量（ｃｇ／ｇ）によって測定される。ある例では、不飽和の程度が高い油のほうが腐食性または沈着をもっと産生しやすく、酸化安定性のレベルがもっと低いかもしれない。不飽和の程度がもっと高い化合物には反応するヨウ素について不飽和点がもっとあり、ＩＶがもっと高くなる。したがって、ある態様では、油の酸化安定性を高めるためにエストリドのＩＶを減少させることが望ましく、一方で有害な油の沈着物および腐食性を減少することにもなる。
【０１０２】
いくつかの態様では、本明細書に記載のエストリド化合物および組成物のＩＶは約４０ｃｇ／ｇより少なくまたは約３５ｃｇ／ｇより少ない。いくつかの態様では、エストリドのＩＶは約３０ｃｇ／ｇより少なく、約２５ｃｇ／ｇより少なく、約２０ｃｇ／ｇより少なく、約１５ｃｇ／ｇより少なく、約１０ｃｇ／ｇより少なく、または約５ｃｇ／ｇより少ない。エストリドの不飽和の程度を低下させることによって、組成物のＩＶを減少させてもよい。このことは例えば、エストリドを合成するときに不飽和のキャッピング材料に比べて飽和されたキャッピング材料の量を増加させることによって達成されてもよい。あるいは、ある態様では、不飽和のキャップを有するエストリドを水素化することによってＩＶを減少させてもよい。
【０１０３】
ある態様では、本明細書に記載のエストリド化合物および組成物を、誘電性流体を調製するために使用してもよい。ある態様では、誘電性流体は、電気器具に使用される天然（植物油）エステル流体についてのＡＳＴＭ標準仕様である名称Ｄ６８７１−０３（２００８年に再承認）に記載されるＡＳＴＭ標準を１つ以上満たす。ある態様では、誘電性流体は、以下のように、名称Ｄ６８７１−０３（２００８年に再承認）に記載される最小試験を満たし、または１つ以上、若しくはすべてを上回る。
【０１０４】
【表１】
2014532254.tif 000010
【０１０５】
ある態様では、誘電性流体は名称Ｄ６８７１−０３（２００８年に再承認）に記載される最小試験の２、３、４、５、６、７、８、９、１０、１１、１２、１３、１４、１５、１６、１７、１８、または１９を満たす。
【０１０６】
ある態様では、誘電性流体の伝導率は、２５℃で約０〜約２５または約０〜約１５ｐＳ／Ｍ等の２５℃で約５０ｐＳ／Ｍ（ピコシーメンス／メートル）以下である。ある態様では、誘電性流体の伝導率は、２５℃で約０〜約１０または約０〜約５ｐＳ／Ｍ等の２５℃で約１５ｐＳ／Ｍ以下である。ある態様では、誘電性流体の伝導率は、２５℃で約０〜約２または約０〜約１ｐＳ／Ｍ等の２５℃で約５ｐＳ／Ｍ以下である。ある態様では、誘電性流体の伝導率は、２５℃で約０．１〜約０．５または約０．５〜約１ｐＳ／Ｍ等の２５℃で約１ｐＳ／Ｍ以下である。ある態様では、誘電性流体の伝導率は、２５℃で約０、０．１、０．２、０．３、０．４、０．５、０．６、０．７、０．８、０．９、または１ｐＳ／Ｍである。ある態様では、誘電性流体の伝導率は、２５℃で約０、１．１、１．２、１．３、１．４、１．５、１．６、１．７、１．８、１．９、または２ｐＳ／Ｍである。ある態様では、誘電性流体の伝導率は、２５℃で約２．２、２．４、２．６、２．８、３、３．２、３．４、３．６、３．８、４、４．２、４．４、４．６、４．８または５ｐＳ／Ｍである。
【０１０７】
ある態様では、誘電性流体の絶縁耐力は、約２０〜約１００または２０〜約５０ｋＶ／ｍｍ（１ｍｍギャップ）等の少なくとも約２０ｋＶ／ｍｍ（１ｍｍギャップ）である。ある態様では、誘電性流体の絶縁耐力は、約２０、２５、３０、３５、４０、４５、５０、５５、６０、６５、７０、７５、８０、８５、９０、９５または１００ｋＶ／ｍｍ（１ｍｍギャップ）である。
【０１０８】
ある態様では、誘電性流体の動粘度は、誘電性流体に含まれるエストリド化合物についての動粘度と本質的に同じである。ある態様では、誘電性流体の動粘度は、誘電性流体に含まれるエストリド化合物の動粘度の約１％または約２％内にある。ある態様では、誘電性流体の動粘度は、誘電性流体に含まれるエストリド化合物の動粘度の０．２％、０．４％、０．６％、０．８％、１．０％、１．２％、１．４％、１．６％、１．８％、または２％内にある。ある態様では、誘電性流体の動粘度は、１００℃で約１５ｃＳｔ以下である。ある態様では、誘電性流体の動粘度は、４０℃で約５０ｃＳｔ以下である。ある態様では、誘電性流体の動粘度は、０℃で約５００ｃＳｔ以下である。
【０１０９】
ある態様では、誘電性流体の発火点は約３００℃より大きいまたは等しい。ある態様では、誘電性流体の発火点は約３００℃〜約４００℃、または約３００℃〜約３５０℃である。ある態様では、誘電性流体の発火点は約３００℃〜約３１０℃である。ある態様では、誘電性流体の発火点は約３００℃、約３０５℃、約３１０℃、約３１５℃、約３２０℃、約３２５℃、約３３０℃、約３３５℃、約３４０℃、約３４５℃、約３５０℃、約３５５℃、約３６０℃、約３６５℃、約３７０℃、約３７５℃、約３８０℃、約３８５℃、約３９０℃、約３９５℃、または約４００℃である。
【０１１０】
ある態様では、誘電性流体の引火点は約２７５℃より大きいまたは等しい。ある態様では、誘電性流体の引火点は約２７５℃〜約３７５℃、約２７５℃〜約３５０℃、または約２７５℃〜約３２５℃である。ある態様では、誘電性流体の引火点は約２７５℃〜約３００℃である。ある態様では、誘電性流体の引火点は約３００℃〜約３１０℃である。ある態様では、誘電性流体の引火点は約２７５℃、約２８０℃、約２８５℃、約２９０℃、約２９５℃、約３００℃、約３０５℃、約３１０℃、約３１５℃、約３２０℃、約３２５℃、約３３０℃、約３３５℃、約３４０℃、約３４５℃、約３５０℃、約３５５℃、約３６０℃、約３６５℃、約３７０℃、または約３７５℃である。
【０１１１】
ある態様では、誘電性流体の相対密度は約１以下である。ある態様では、誘電性流体の相対密度は約０．９６以下である。ある態様では、誘電性流体の相対密度は約０．５〜約１、または約０．７５〜約１である。ある態様では、誘電性流体の相対密度は約０．８５〜約０．９５である。ある態様では、誘電性流体の相対密度は約０．５、約０．５２、約０．５４、約０．５６、約０．５８、約０．６、約０．６２、約０．６４、約０．６６、約０．６８、約０．７、約０．７２、約０．７４、約０．７６、約０．７８、約０．８、約０．８２、約０．８４、約０．８６、約０．８８、約０．９、約０．９２、約０．９４、または約０．９６である。
【０１１２】
ある態様では、誘電性流体の色調は約１以下である。ある態様では、誘電性流体の色調は約０．５〜約１、または約０．７５〜約１である。ある態様では、誘電性流体の色調は約０．８５〜約０．９５である。ある態様では、誘電性流体の色調は約０．５、約０．５２、約０．５４、約０．５６、約０．５８、約０．６、約０．６２、約０．６４、約０．６６、約０．６８、約０．７、約０．７２、約０．７４、約０．７６、約０．７８、約０．８、約０．８２、約０．８４、約０．８６、約０．８８、約０．９、約０．９２、約０．９４、約０．９６、約０．９８、または約１である。
【０１１３】
ある態様では、誘電性流体の６０Ｈｚ（円形電極）での絶縁破壊電圧は、約３０ｋＶ〜約６０または約３０ｋＶ〜約４５ｋＶ等の約３０ｋＶより大きいまたは等しい。ある態様では、誘電性流体の６０Ｈｚ（円形電極）での絶縁破壊電圧は約３０ｋＶ、約３２ｋＶ、約３４ｋＶ、約３６ｋＶ、約３８ｋＶ、約４０ｋＶ、約４２ｋＶ、約４４ｋＶ、約４６ｋＶ、約４８ｋＶ、約５０ｋＶ、約５２ｋＶ、約５４ｋＶ、約５６ｋＶ、約５８ｋＶ、または約６０ｋＶである。
【０１１４】
ある態様では、誘電性流体の６０Ｈｚ（ＶＤＥ電極）での絶縁破壊電圧は、約２０ｋＶ〜約６０または約２０ｋＶ〜約４５ｋＶ等の１ｍｍギャップについて約２０ｋＶより大きいまたは等しい。ある態様では、誘電性流体の６０Ｈｚ（ＶＤＥ電極）での絶縁破壊電圧は、１ｍｍギャップについて約２０ｋＶ、約２２ｋＶ、約２４ｋＶ、約２６ｋＶ、約２８ｋＶ、約３０ｋＶ、約３２ｋＶ、約３４ｋＶ、約３６ｋＶ、約３８ｋＶ、約４０ｋＶ、約４２ｋＶ、約４４ｋＶ、約４６ｋＶ、約４８ｋＶ、約５０ｋＶ、約５２ｋＶ、約５４ｋＶ、約５６ｋＶ、約５８ｋＶ、または約６０ｋＶである。
【０１１５】
ある態様では、誘電性流体の６０Ｈｚ（ＶＤＥ電極）での絶縁破壊電圧は、約３５ｋＶ〜約６０または約３５ｋＶ〜約４５ｋＶ等の２ｍｍのギャップについて約３５ｋＶより大きいまたは等しい。ある態様では、誘電性流体の６０Ｈｚ（円形電極）での絶縁破壊電圧は、２ｍｍのギャップについて約３０ｋＶ、約３２ｋＶ、約３４ｋＶ、約３６ｋＶ、約３８ｋＶ、約４０ｋＶ、約４２ｋＶ、約４４ｋＶ、約４６ｋＶ、約４８ｋＶ、約５０ｋＶ、約５２ｋＶ、約５４ｋＶ、約５６ｋＶ、約５８ｋＶ、または約６０ｋＶである。
【０１１６】
ある態様では、インパルス条件下（２５℃、針は地球の接地に対して負、１インチ）の誘電性流体の絶縁破壊電圧は、約１３０ｋＶ〜約２００ｋＶ、または約１３０ｋＶ〜約１７５ｋＶ等の約１３０ｋＶより大きいまたは等しい。ある態様では、ｔインパルス条件下（２５℃、針は地球の接地に対して負、１インチ）の誘電性流体の絶縁破壊電圧は、約１３０ｋＶ、約１３５ｋＶ、約１４０ｋＶ、約１４５ｋＶ、約１５０ｋＶ、約１５５ｋＶ、約１６０ｋＶ、約１６５ｋＶ、約１７０ｋＶ、約１７５ｋＶ、約１８０ｋＶ、約１８５ｋＶ、約１９０ｋＶ、約１９５ｋＶ、または約２００ｋＶである。
【０１１７】
ある態様では、６０Ｈｚでの誘電性流体の誘電正接は、２５℃で約０％〜約０．２％、または約０．１％〜約０．２％等の約０．２％以下である。ある態様では、６０Ｈｚでの誘電性流体の誘電正接は、２５℃で約０％、約０．０２％、約０．０４％、約０．０６％、約０．０８％、約０．１％、約０．１２％、約０．１４％、約０．１６％、約０．１８％、または約０．２％である。
【０１１８】
ある態様では、６０Ｈｚでの誘電性流体の誘電正接は、１００℃で約０％〜約４％、または約０％〜約２％等の約４％以下である。ある態様では、６０Ｈｚでの誘電性流体の誘電正接は、１００℃で約０％、約０．２％、約０．４％、約０．６％、約０．８％、約１％、約１．２％、約１．４％、約１．６％、約１．８％、約２％、約２．２％、約２．４％、約２．６％、約２．８％、約３％、約３．２％、約３．４％、約３．６％、約３．８％、または約４％である。
【０１１９】
ある態様では、誘電性流体のガッシング傾向は約０μｌ／分である。ある態様では、誘電性流体の試験は硫黄腐食について陰性である。ある態様では、誘電性流体の総酸価は、０．０６〜０．１ｍｇＫＯＨ／ｇ等の約０．１ｍｇＫＯＨ／ｇ以下である。ある態様では、誘電性流体の総酸価は約０．０６ｍｇＫＯＨ／ｇ以下である。ある態様では、誘電性流体の総酸価は約０．０２〜約０．０６ｍｇＫＯＨ／ｇである。ある態様では、誘電性流体の総酸価は約０、０．０１、０．０２、０．０３、０．０４、０．０５、０．０６、０．０７、０．０８、０．０９、または０．１ｍｇＫＯＨ／ｇである。
【０１２０】
ある態様では、誘電性流体のＰＣＢ（ポリ塩化ビフェニル）含有量は約０ｐｐｍである。ある態様では、誘電性流体の水の含有量は、約１００〜約２００ｍｇ／ｋｇ等の約２００ｍｇ／ｋｇ以下である。ある態様では、誘電性流体の水の含有量は、約０〜約１００ｍｇ／ｋｇ、または約５０〜約１００ｍｇ／ｋｇ等の約２００ｍｇ／ｋｇ以下である。ある態様では、誘電性流体の水の含有量は、約２５〜約５０ｍｇ／ｋｇ、または約０〜約２５ｍｇ／ｋｇ等の約５０ｍｇ／ｋｇ以下である。ある態様では、誘電性流体の水の含有量は、約０、１０、２０、３０、４０、５０、６０、７０、８０、９０、１００、１１０、１２０、１３０、１４０、１５０、１６０、１７０、１８０、１９０、または２００ｍｇ／ｋｇである。
【０１２１】
ある態様では、誘電性流体はエストリド基油を含む、または、から本質的に成り、該基油は式Ｉ、ＩＩおよび／またはＩＩＩの少なくとも１つの化合物を含む。ある態様では、誘電性流体は更に少なくとも１つの添加剤を含み、少なくとも１つの添加剤は抗酸化剤、抗菌剤、低温流動性調整剤、流動点調整剤、金属キレート剤、金属不活性化剤から選択されてもよい。
【０１２２】
ある態様では、少なくとも１つの添加剤は少なくとも１つの抗酸化剤を含む。ある態様では、少なくとも１つの抗酸化剤はフェノール系抗酸化剤である。例示的な抗酸化剤として、、これらに限定されないが、ブチルヒドロキシトルエン（ＢＨＴ）、ブチルヒドロキシアニソール（ＢＨＡ）、２，６−ジ第三級−ブチルパラクレゾール（ＤＢＰＣ）、モノ−第三級ブチルヒドロキノン（ＴＢＨＱ）、テトラヒドロブチロフェノン（ＴＨＢＰ）、および１つ以上のアルキル化ジフェニルアミンが挙げられる。ある態様では、抗酸化剤はＢＨＡおよびＢＨＴを含む組み合わせ等の組み合わせで使用される。ある態様では、抗酸化剤（複数可）は約０．１％〜約３％等の誘電性流体の約０％〜約５％重量％を含む。ある態様では、油の酸化安定性は、当業者に周知のＡＯＭ（嫌気的メタン酸化反応）またはＯＳＩ（酸化安定性係数）によって特定されてもよい。
【０１２３】
ある態様では、少なくとも１つの添加剤は少なくとも１つの抗菌剤を含む。ある態様では、少なくとも１つの抗菌剤は微生物の増殖を抑制する。ある態様では、少なくとも１つの抗菌剤は、誘電性流体と適合する任意の抗微生物物質を流体に混合してもよい。ある態様では、抗酸化剤として役に立つ化合物を抗微生物物質として使用してもよい。例えば、ある態様では、ＢＨＡ等のフェノール系抗酸化剤は１つ以上のバクテリア、カビ、ウイルス、および原生動物に対して、いくつかの作用を示す。ある態様では、少なくとも１つの抗酸化剤をソルビン酸カリウム、ソルビン酸、およびモノグリセリドから選択される少なくとも１つの抗菌剤と加えてもよい。その他の例示的な抗菌剤として、、これらに限定されないが、ビタミンＥおよびパルミチン酸アスコルビルが挙げられる。
【０１２４】
ある態様では、少なくとも１つの添加剤は少なくとも１つの流動点降下剤および／または低温流動性調整剤を含む。ある態様では、少なくとも１つの流動点降下剤および／または低温流動性調整剤は約０．１重量％〜約３重量％等の約０重量％〜約５重量％のレベルで存在する。ある態様では、少なくとも１つの流動点降下剤はポリ酢酸ビニルオリゴマー、ポリ酢酸ビニルポリマー、アクリルオリゴマー、またはアクリルポリマーの１つ以上から選択される。ある態様では、少なくとも１つの流動点降下剤はポリメタクリレート（ＰＭＡ）である。ある態様では、流動点を更に加工油を脱ろうすることによって低下させてもよい。ある態様では、温度を約０℃に近いまたはそれより低くし、固化成分を除くことによって、油は脱ろうされる。ある態様では、脱ろうの過程を、温度を低下させ、次に種々の温度で固体を除くことによって実施してもよい。ある態様では、温度を連続的に数時間約５℃、約０℃および約−１２℃に低下させ、けいそう土で濾過し、固体を除くことによって脱ろうを実施してもよい。
【０１２５】
ある態様では、少なくとも１つの添加剤は少なくとも１つの金属キレート剤および／または金属不活性化剤を含む。銅のような金属が電気的環境に存在し得るため、ある態様では、誘電性流体は少なくとも１つの金属不活性化剤を含んでいてもよい。例示的な金属不活性化剤として、これらに限定されないが、銅不活性剤等がある。例示的な金属不活性化剤として、これらに限定されないが、ベンゾトリアゾール誘導体がある。ある態様では、誘電性流体は約０．１重量％〜約０．５重量％等の約１重量％以下の量で少なくとも１つの金属不活性化剤を含む。
【０１２６】
ある態様では、誘電性流体はアミン系およびフェノール系抗酸化剤および／またはトリアゾール金属不活性化剤の組み合わせ等の添加剤の組み合わせを含む。例示的な化合物として、これらに限定されないが、Ｉｒｇａｎｏｘ（登録商標）Ｌ−５７抗酸化剤、Ｉｒｇａｎｏｘ（登録商標）Ｌ−１０９抗酸化剤、およびＩｒｇａｍｅｔ（登録商標）−３０金属不活性化剤が挙げられ、それぞれCiba-Geigy社（タリータウン、ニューヨーク州）から市販されている。
【０１２７】
ある態様では、誘電性流体は少なくとも１つの着色剤を含む。ある態様では、少なくとも１つの着色剤は染料および顔料から選択される。ある態様では、食物添加物のような市販されているあらゆる周知の染料および顔料を使用することができる。ある態様では、染料および顔料は油溶性の染料および顔料から選択されてもよい。ある態様では、少なくとも１つの着色剤は約１ｐｐｍより小さい少量で組成物に存在する。
【０１２８】
ある態様では、誘電性流体は、少なくとも１つの添加剤と共に、少なくとも１つのエストリド基油または少なくとも１つエストリド化合物の共混合を含み、少なくとも１つの添加剤は、ポリアルファオレフィン、合成エステル、ポリアルキレングリコール、鉱油（グループＩ、ＩＩ、およびＩＩＩ）、植物および動物ベースの油（例えば、モノ、ジ−、およびトリグリセリド）、並びに脂肪酸エステルから選択されてもよい。例示的な鉱油として、これらに限定されないが、商品名Luminol TRでPetro-Canadaから入手可能なもの、および商品名Ｃａｌｔｒａｎ  ６０−１５でCalumet Lubricating社から入手可能なもの、および商品名HivoltIIでErgon Refining社から入手可能なものが挙げられる。例示的なポリアルファオレフィンとして、、これらに限定されないが、粘度が１００℃で約２ｃＳｔ〜約１４ｃＳｔであり、商品名Ｓｙｎｆｌｕｉｄ  ＰＡＯでＣｈｅｖｒｏｎ社、商品名ＤｕｒａｓｙｎでＡｍｏｃｏ社、および商品名ＥｔｈｙｌｆｌｏでＥｔｈｙｌ社から入手可能なものが挙げられる。ある態様では、ポリアルファオレフィンは、粘度が１００℃で約４ｃＳｔ〜約８ｃＳｔであり、二量体、三量体、四量体等のオリゴマーから生じてもよい。ある態様では、オリゴマーは２〜４０個の炭素、または２〜２０個の炭素の鎖を含んでいてもよい。ある態様では、ポリアルファオレフィンは１０個の炭素等の６〜１２個の炭素の鎖を含んでいてもよい。ある態様では、ポリアルファオレフィンの粘度は１００℃で約６ｃＳｔ〜約８ｃＳｔである。
【０１２９】
ある態様では、性能に悪い影響を与える可能性のある大気中の酸素、湿気、およびその他の汚染物質に流体を曝露するのを最小限にする様式で、誘導性流体を少なくとも１つの電気装置に導入する。ある態様では、少なくとも１つの電気装置は、流体および／または気体を含むのに適合した少なくとも１つのタンクを含む。ある態様では、タンクは少なくとも部分的にハウジングによって明確にされる。ある態様では、誘導性流体を少なくとも１つの電気装置に導入する過程は、タンクの中を少なくとも部分的に乾燥させ、排気し、タンクに存在する一部の空気を不活性ガスに置き換え、タンクの少なくとも一部に誘導性流体を充填し、その後タンクを密封することを含む。ある態様では、誘導性流体を少なくとも１つの電気装置に導入する過程を部分真空下で行う。ある態様では、電気装置および／またはその操作は誘導性流体とタンクのカバーとの間にヘッドスペースを必要とする。ある態様では、ヘッドスペースに存在する気体を部分的または完全に排気し、不活性ガスに部分的または完全に置き換える。ある態様では、充填し、さもなくばタンクを密封した後に、不活性ガスを電気装置に導入する。例示的な不活性ガスとして、これらに限定されないが、窒素ガスがある。
【０１３０】
ある態様では、電気装置は少なくとも１つの電気変圧器および／またはスイッチギアを含む。ある態様では、電気装置は、流体を満たした伝送線等の少なくとも１つの電気伝送線を含む。ある態様では、少なくとも１つの電気変圧器および／またはスイッチギアは、少なくとも１つの回路が誘導性流体に浸されるように、構成されてもよい。例えば、変圧器の中に、コアおよび巻線（いわゆるコア／コイルのアセンブリ）の少なくとも一部を誘導性流体に浸すことができる。ある態様では、浸された要素を密封されハウジングまたはタンクに閉じ込めることができる。ある態様では、巻線をセルロースまたは紙の材料でくるんでもよい。ある態様では、誘導性流体組成物は少なくともいくつかの保護を提供し、紙の絶縁材料のセルロース鎖の有効耐用年数を延長する。
【０１３１】
ある態様では、誘導性流体は、その他の（例えば、あまり望ましくない）誘導性流体を組み入れる既存の電気装置を逆充填するために使用される。ある態様では、既存の電気装置を逆充填することは当該技術分野で周知の任意の適した方法を用いて達成される。ある態様では、電気装置の要素を、誘導性流体を導入する前に乾燥させてもよい。ある態様では、電気装置はセルロースまたは紙の包装材料を含み、時間が経つと湿気を吸収するために実装してもよい。
【０１３２】
本発明は更に、製造過程において、エストリド化合物およびエストリドを含む組成物の絶縁体としての使用に関するものであり、材料は電気エネルギーを適用することによって形成される。絶縁体としてエストリド化合物およびエストリドを含む組成物を使用する例示的な製造過程は、、これらに限定されないが、放電加工（ＥＤＭ）がある。例えば、火花加工、火花浸食（spark eroding）、燃焼、形彫り放電加工、またはワイヤ浸食（wire erosion）とも称されるＥＤＭ過程は、例えば、少なくとも１つのエストリドを含む伝導率が充分に低い流体で実施することができる。いくつかの態様では、ＥＤＭ過程は誘導性流体で行ってもよい。いくつかの態様では、ＥＤＭ過程は、伝導率が１ピコシーメンス／メートルより大きい絶縁体で行ってもよい。いくつかの態様では、使用される絶縁体および／または誘導性流体は部分的または完全に生分解性である。いくつかの態様では、ＥＤＭ過程は、毒性の低いまたはない絶縁流体または誘導性流体で行ってもよい。
【０１３３】
本発明は更に式Ｉ、ＩＩ、およびＩＩＩに記載のエストリドを作製する方法に関する。実施例の方法によって、不飽和脂肪酸を有機酸に反応させることおよび得られる遊離酸エストリドをエステル化することを以下のスキーム１および２に、説明し検討する。反応物を説明するために使用される具体的な式は式ＩおよびＩＩＩに記載の化合物の合成に対応する。しかしながら、不飽和の反応部位と共にＲ３およびＲ４に対応する構造を有する化合物を使用して、式ＩＩに記載の化合物の合成に方法を等しく適用する。
【０１３４】
以下に説明されるように、化合物１００は本明細書に記載のエストリド化合物を調製するための基本として提供してもよい不飽和脂肪酸を示す。
スキーム１
【０１３５】
【化８】
2014532254.tif 000011
【０１３６】
スキーム１にて、ｘはそれぞれ独立して、０〜２０から選択される整数であり、ｙはそれぞれ独立して、０〜２０から選択される整数であり、ｎは１より大きいまたは等しい整数であり、Ｒ１は飽和または不飽和の、分岐または非分岐の、置換されていてもよいアルキルであり、不飽和脂肪酸１００は化合物１０２および陽子源からの陽子と結合し、遊離酸エストリド１０４を形成してもよい。ある態様では、化合物１０２は含まれず、不飽和脂肪酸１００は酸性条件に単独で曝露され、遊離酸エストリド１０４を形成してもよく、Ｒ１であれば不飽和アルキル基を示すだろう。ある態様では、化合物１０２が反応に含まれるならば、Ｒ１は飽和または不飽和のおよび分岐または非分岐の１つ以上の、置換されていてもよいアルキル残基を示してもよい。いかなる適切なプロトン源も組み込まれて遊離酸エストリド１０４の形成を触媒してもよく、これらに限定されないが、同種の酸類および／または塩酸のような強酸、硫酸、過塩素酸、硝酸、トリフリン酸等が挙げられる。
スキーム２
【０１３７】
【化９】
2014532254.tif 000012
【０１３８】
同様に、スキーム２にて、ｘはそれぞれ独立して、０〜２０から選択される整数であり、ｙはそれぞれ独立して、０〜２０から選択される整数であり、ｎは１より大きいまたは等しい整数であり、Ｒ１およびＲ２はそれぞれ飽和または不飽和の、分岐または非分岐の、置換されていてもよいアルキルであり、遊離酸エストリド１０４は、エステル化されたエストリド２０４を得るために、アルコール２０２で酸触媒還元等の当業者に周知の任意の適切な方法によってエステル化されてもよい。その他の例示的な方法として、ＢＦ３等のルイス酸触媒を使用する方法等の他のタイプのフィッシャーエステル合成反応を挙げてもよい。
【０１３９】
以下の全実施例では、記載の化合物は単独、混合、またはその他の化合物、組成物、および／または材料と組み合わせても役に立つ。
【０１４０】
本明細書に記載の新規化合物を得る方法は当業者に明白であり、適切な手順は例えば、以下の実施例および本明細書に記載の参考文献に記述される。
【実施例】
【０１４１】
分析方法
核磁気共鳴：ＣＤＣｌ３を溶媒として使用して絶対周波数が３００Ｋで５００．１１３ＭＨｚのBruker Avance  ５００分光計を使用して、ＮＭＲスペクトルを集めた。化学シフトをテトラメチルシランから百万分の一として報告した。脂肪酸の間の第二級エステル結合の形成をエストリドの形成を指示しながら、ピークが約４．８４ｐｐｍの１Ｈ  ＮＭＲで確かめた。
【０１４２】
エストリド数（ＥＮ）：ＥＮをＧＣ分析によって測定した。組成物のＥＮは特に組成物に存在する任意のエストリド化合物のＥＮの特徴を意味することを理解されたい。したがって、具体的なＥＮを有するエストリド組成物はまた、天然または合成添加剤、その他の非エストリド基油、脂肪酸エステル、例えばトリグリセリド類および／または脂肪酸類を含んでいてもよいが、本明細書に使用されるＥＮは、他に指示されない限り、エストリド組成物のエストリド画分についての値を意味する。
【０１４３】
ヨウ素価（ＩＶ）：ヨウ素価は油の総不飽和の程度の測定値である。ＩＶは油試料の１グラムあたりに吸収されるヨウ素のセンチグラムの用語で表される。そのため、油のヨウ素価が高いほど油の不飽和のレベルが高い。ＩＶはＧＣ分析によって測定および／または推定されてもよい。組成物が式Ｉ、ＩＩ、およびＩＩＩに記載のエストリドより不飽和化合物を含む場合、エストリドを組成物に存在するその他の不飽和化合物から分離してから成分たるエストリドのヨウ素価を測定する。例えば、組成物が不飽和脂肪酸または不飽和脂肪酸を含むトリグリセリドを含むならば、組成物に存在するエストリドから分子され、１つ以上のエストリドについてのヨウ素価を測定することができる。
【０１４４】
酸価：酸価は油に存在する総酸の測定値である。酸価は当業者に周知の任意の滴定法によって測定されてもよい。例えば、酸価はを油の所与の試料を中和するために必要とされるＫＯＨの量によって特定されてもよく、よって油のｍｇＫＯＨ／ｇで表されてもよい。
【０１４５】
ガスクロマトグラフィー（ＧＣ）：ＧＣ分析を実施し、エストリドのエストリド数（ＥＮ）およびヨウ素価（ＩＶ）を評価する。当該解析は水素炎イオン化型分析計およびＳＰ−２３８０  ３０ｍ×０．２５ｍｍ（内径）カラムに加えてオートサンプラ／インジェクタを装備したＡｇｉｌｅｎｔ  ６８９０Ｎシリーズガスクロマトグラフを使用して実施される。
【０１４６】
分析のパラメータは以下の通りである。１４．９９ｐｓｉのヘリウム頭部圧力で１．０ｍＬ／分のカラムフロー。５０：１の分割比。２０℃／分で１２０〜１３５℃、７℃／分で１３５〜２６５℃、２６５℃で５分間保持されるようにプログラムされたランプ。２５０℃に設定されたインジェクタおよび検出温度。
【０１４７】
ＧＣによるＥＮおよびＩＶの測定：これらの分析を行うために、エストリド試料の脂肪酸の要素をＭｅＯＨと反応させ、エストリド結合がかつて存在していた部位のヒドロキシ基を残す方法によって脂肪酸メチルエステル類を形成する。脂肪酸メチルエステル類の標準を最初に分析し、溶出時間を確立する。
【０１４８】
試料の調製：試料を調製するために、１０ｍｇのエストリドをバイアル中０．５ｍＬの０．５Ｍ  ＫＯＨ／ＭｅＯＨと組み合わせ、１００℃で１時間加熱した。次に、１．５ｍＬの１．０Ｍ  Ｈ２ＳＯ４／ＭｅＯＨを加え、１００℃で１５分間加熱し、その後、室温まで放冷した。１ｍＬのＨ２Ｏおよび１ｍＬのヘキサンをバイアルに加え、得られる液相をじっくり混合した。層を１分間相分離した。底部のＨ２Ｏ層を除去し捨てた。少量の乾燥剤（無水Ｎａ２ＳＯ４）を有機層に加え、その後、有機層を２ｍＬのクリンプキャップバイアルに移し、分析した。
【０１４９】
ＥＮの計算：ヒドロキシ脂肪酸のパーセンテージを、非ヒドロキシ脂肪酸のパーセンテージで割ったものとしてＥＮを測定した。例として、二量体エストリドはヒドロキシ官能基を含む脂肪酸の半分であり、ヒドロキシル官能基を欠いた残り半分である。そのため、ＥＮは５０％のヒドロキシ脂肪酸を５０％の非ヒドロキシ脂肪酸で割ったものとなり、ＥＮ値１は、キャップしている脂肪酸と二量体の塩基脂肪酸との間の単一のエストリド結合に対応する。
【０１５０】
ＩＶの計算：ヨウ素価はＡＳＴＭ法Ｄ９７（ＡＳＴＭ  International社、コンショホッケン、ペンシルバニア州）に基づく以下の等式によって推定される。
【０１５１】
【数１】
2014532254.tif 000013
Ａｆ＝試料中の脂肪化合物の画分
ＭＷＩ＝２５３．８１、二重結合に加えられた２つのヨウ素原子の原子量
ｄｂ＝脂肪化合物上の二重結合の数
ＭＷｆ＝脂肪化合物の分子量
【０１５２】
本明細書に記載の例示的なエストリド化合物および組成物の特性を、以下の実施例および表に記載した。
【０１５３】
その他の計測値：他に記載されることを除いて、色調はＡＳＴＭ法Ｄ１５００によって測定され、６０Ｈｚでの絶縁破壊電圧はＡＳＴＭ法Ｄ８７７（円形電極、ｋＶ）およびＤ１８１６（ＶＤＥ電極、ｋＶ）によって測定され、インパルス条件下の絶縁破壊電圧はＡＳＴＭ法Ｄ３３００によって測定され、６０Ｈｚでの誘電正接はＡＳＴＭ法Ｄ９２４によって測定され、ガッシング傾向はＡＳＴＭ法Ｄ２３００によって測定され、腐食性硫黄はＡＳＴＭ法Ｄ１２７５によって測定され、ＰＣＢ含有量はＡＳＴＭ法Ｄ４０５９によって測定され、水含有量はＡＳＴＭ法Ｄ１５３３によって測定され、相対密度はＡＳＴＭ法Ｄ１２９８によって測定され、流動点はＡＳＴＭ法Ｄ９７−９６ａによって測定され、曇点はＡＳＴＭ法Ｄ２５００によって測定され、粘度／動粘度はＡＳＴＭ法Ｄ４４５−９７によって測定され、粘度係数はＡＳＴＭ法Ｄ２２７０−９３（１９９８年に再承認）によって測定され、特定の重力はＡＳＴＭ法Ｄ４０５２によって測定され、発火点および引火点はＡＳＴＭ法Ｄ９２によって測定され、蒸発損失はＡＳＴＭ法Ｄ５８００によって測定され、蒸気圧はＡＳＴＭ法Ｄ５１９１によって測定され、および急性水性毒性は経済協力開発機構（ＯＥＣＤ）２０３によって測定された。
【０１５４】
実施例１
酸性触媒反応を５０ガロンのPfaudler  ＲＴシリーズのグラスライニング反応装置（glass-lined reactor）中で行った。オレイン酸（６５Ｋｇ、ＯＬ  ７００、Twin Rivers）を７０％の過塩素酸（９９２．３ｍＬ、Ａｌｄｒｉｃｈ  カタログ番号２４４２５２）と共に反応装置に加え、連続してかき混ぜながら、真空下（１０ｔｏｒｒ  ａｂｓ（絶対圧Ｔｏｒｒ；１ｔｏｒｒ＝〜１ｍｍＨｇ））で２４時間、６０℃に加熱した。２４時間後、真空を放出した。２−エチルヘキサノール（２９．９７Ｋｇ）を反応装置に加え、真空を元に戻した。反応物を４時間以上、同じ条件（６０℃、１０ｔｏｒｒ  ａｂｓ）にし続けた。その時間、ＫＯＨ（６４５．５８ｇ）を９０％のエタノール／水（５０００ｍＬ、容量で９０％のＥｔＯＨ）に溶解し、反応装置に加え、酸をクエンチした。溶液を約３０分間放冷した。反応装置の内容物をアキュムレ一夕ーに１ミクロン（μ）のフィルターに通して吸い上げ、塩を濾去した。水をその後アキュムレ一夕ーに加え、油を洗浄した。２つの液相を約１時間完全に一緒に混ぜ合わせた。溶液を約３０分間相分離した。水層を排出し、処分した。有機層を１μのフィルターによって反応装置に再度吸い上げた。エタノールおよび水がすべて溶液から蒸留しなくなるまで、反応装置を真空下（絶対圧１０ｔｏｒｒ）で６０℃に加熱した。反応装置を真空下（１０ｔｏｒｒ  ａｂｓ）で１００℃に加熱し、２−エチルヘキサノールが溶液から蒸留しなくなるまで、当該温度を維持した。残りの材料を、約１２ミクロン（０．０１２ｔｏｒｒ）の絶対圧下２００℃で、マイヤーズ１５遠心分離蒸留（Myers 15 Centrifugal Distillation）を使用して蒸留し、エストリド（実施例１）に残っている一価エステル材料を全て除去した。データを以下表１および８に報告する。
【０１５５】
実施例２
酸性触媒反応を５０ガロンのPfaudler  ＲＴシリーズのグラスライニング反応装置（glass-lined reactor）中で行った。オレイン酸（５０Ｋｇ、ＯＬ  ７００、Twin Rivers）およびホールカットのココナッツ脂肪酸（１８．７５４Ｋｇ、ＴＲＣ  １１０、Twin Rivers）を反応装置に７０％の過塩素酸（１１４５ｍＬ、Ａｌｄｒｉｃｈ  カタログ番号２４４２５２）と一緒に加え、連続してかき混ぜながら、真空下（１０ｔｏｒｒ  ａｂｓ）で２４時間、６０℃に加熱した。２４時間後、真空を放出した。２−エチルヘキサノール（３４．５８Ｋｇ）反応装置に加え、真空を元に戻した。反応物を４時間以上、同じ条件（６０℃、１０ｔｏｒｒ  ａｂｓ）にし続けた。その時間、ＫＯＨ（７４４．９ｇ）を９０％のエタノール／水（５０００ｍＬ、容量で９０％のＥｔＯＨ）に溶解し、反応装置に加え、酸をクエンチした。溶液を約３０分間放冷した。反応装置の内容物をアキュムレ一夕ーに１ミクロン（μ）のフィルターに通して吸い上げ、塩を濾去した。水をその後アキュムレ一夕ーに加え、油を洗浄した。２つの液相を約１時間完全に一緒に混ぜ合わせた。溶液を約３０分間相分離した。水層を排出し、処分した。有機層を１μのフィルターによって反応装置に再度吸い上げた。エタノールおよび水がすべて溶液から蒸留しなくなるまで、反応装置を真空下（絶対圧１０ｔｏｒｒ）で６０℃に加熱した。反応装置を真空下（１０ｔｏｒｒ  ａｂｓ）で１００℃に加熱し、２−エチルヘキサノールが溶液から蒸留しなくなるまで、当該温度を維持した。残りの材料を、約１２ミクロン（０．０１２ｔｏｒｒ）の絶対圧下２００℃で、マイヤーズ１５遠心分離蒸留（Ｍｙｅｒｓ  １５  Centrifugal Distillation）を使用して蒸留し、エストリド（実施例２）に残っている一価エステル材料を全て除去した。データを、以下表２および７に報告する。
【０１５６】
実施例３
実施例１（例１）で産生されたエストリドをマイヤーズ１５遠心分離蒸留（Ｍｙｅｒｓ  １５  Centrifugal Distillation）の蒸留条件に、約１２ミクロン（０．０１２ｔｏｒｒ）の絶対圧下で、３００℃で供した。このことにより、最初の蒸留物はＥＮ平均がもっと低く（例３Ａ）、蒸留残渣はＥＮ平均がもっと高かった（例３Ｂ）。データを以下表１および８に報告する。
【０１５７】
【表２】
2014532254.tif 000014
【０１５８】
実施例４
実施例２（例２）で産生されたエストリドをマイヤーズ１５遠心分離蒸留（Ｍｙｅｒｓ  １５  Centrifugal Distillation）の蒸留条件に、約１２ミクロン（０．０１２ｔｏｒｒ）の絶対圧下で、３００℃で供した。このことにより、最初の蒸留物はＥＮ平均がもっと低く（例４Ａ）、蒸留残渣はＥＮ平均がもっと高かった（例４Ｂ）。データを以下表２および７に報告する。
【０１５９】
【表３】
2014532254.tif 000015
【０１６０】
実施例５
実施例１に記載の方法によって産生されるエストリドを、温度範囲が約０℃〜約７１０℃で、１ａｔｍ（気圧）で蒸留条件（ＡＳＴＭ  Ｄ−６３５２）に供し、高い温度で１０個の異なるエストリドカットを回収した。各カットの試料から蒸留された材料の量および蒸留された（回収された）各カットの温度を以下表３に報告する。
【０１６１】
【表４】
2014532254.tif 000016
【０１６２】
実施例６
実施例２に記載の方法によって産生されるエストリドを、温度範囲が約０℃〜約７３０℃で、１ａｔｍで蒸留条件（ＡＳＴＭ  Ｄ−６３５２）に供し、１０個の異なるエストリドカットを回収した。各カットの試料から蒸留された材料の量および蒸留され回収された各カットの温度を以下表４に報告する。
【０１６３】
【表５】
2014532254.tif 000017
【０１６４】
実施例７
エストリド基油４Ｂ（実施例４より）を、温度範囲が約０℃〜約７３０℃で、１ａｔｍで蒸留条件（ＡＳＴＭ  Ｄ−６３５２）に供し、９個の異なるエストリドのカットを回収した。各カットの試料から蒸留された材料の量および蒸留され回収された各カットの温度を以下表５ａに報告する。
【０１６５】
【表６】
2014532254.tif 000018
【０１６６】
実施例８
実施例１に使用される２−エチルヘキサノールエステル化アルコールを種々のその他のアルコール類に置き換えたことを除き、実施例１に記載の方法にしたがってエストリドを作製した。エステル化のために使用するアルコール類を、以下表５ｂに記載した。得られるエストリドの特性を表９に記載する。
【０１６７】
【表７】
2014532254.tif 000019
【０１６８】
実施例９
２−エチルヘキサノールエステル化アルコールをブタノールに置き換えたことを除き、実施例２に記載の方法にしたがってエストリドを作製した。得られるエストリドの特性を表９に記載する。
【０１６９】
実施例１０
２−エチルヘキサノールエステル化アルコールを種々のその他のアルコール類に置き換えたことを除き、式Ｉ、ＩＩ、およびＩＩＩのエストリドを実施例１および２に記載の方法にしたがって調製する。エステル化に使用されるアルコール類を、以下表６に記載した。以下に列挙されたものを含む使用されるエステル化アルコール類は飽和または不飽和の、分岐または非分岐の、またはメチル、エチル、プロピル、イソプロピル、ブチル、イソブチル、ｓｅｃ−ブチル、ｔｅｒｔ−ブチル、ペンチル、イソペンチル、ネオペンチル、ヘキシル、イソヘキシル等から選択される１つ以上のアルキル基に置換され、Ｒ２位で分岐または非分岐残基を形成してもよい。エステル化アルコール類とＲ２置換基の組み合わせの例を以下表６に記載する。
【０１７０】
【表８】
2014532254.tif 000020
【表９】
2014532254.tif 000021
【表１０】
2014532254.tif 000022
【表１１】
2014532254.tif 000023
【０１７１】
実施例１１
種々の酸価を有する飽和および不飽和エストリドにいくつかの腐食および沈着試験を行った。これらの試験は、いくつかの金属について高温腐食ベンチ試験（ＨＴＣＢＴ）、ＡＳＴＭ  Ｄ１３０腐食試験、およびピストン沈着物を相関するためのＭＨＴ−４  ＴＥＯＳＴ（ＡＳＴＭ  Ｄ７０９７）が挙げられる。酸価の高い（０．６７ｍｇＫＯＨ／ｇ）試験されるエストリドは、例１および例４Ａ（以下例１＊および例４Ａ＊）を産生するための実施例１および４に記載される方法を使用して産生する。酸価の低い（０．０８ｍｇＫＯＨ／ｇ）試験されるエストリドは、例１および例４Ａを産生するための実施例１および４に記載される方法を使用して産生するが、ただし、粗の遊離酸エストリドをワークアップし、連続してかき混ぜながら、ＢＦ３・ＯＥＴ２（０．１５当量；ディーンスタークトラップ中、真空下８０℃で１２時間エストリドおよび２−ＥＨと反応（１０ｔｏｒｒ  ａｂｓ）でエステル化する前に精製し、粗反応生成物Ｈ２０で４回洗浄し、洗浄した反応生成物を真空下（１０ｔｏｒｒ  ａｂｓ）で１時間１４０℃に加熱することによって、過剰な２−ＥＨを除く（以下例４Ａ＃）。ＩＶが０のエストリドを炭素が組み込まれた１０重量％のパラジウムによって、圧力のかかった水素雰囲気（２００ｐｓｉｇ）下で、７５℃で３時間水素化した（以下例４Ａ＊Ｈおよび例４Ａ＃Ｈ）。腐食および沈着試験をＤｅｘｏｓ（商標）添加剤パッケージで実施した。結果を鉱油標準と比較した。
【０１７２】
【表１２】
2014532254.tif 000024
【０１７３】
実施例１２
実施例１で産生されるエストリドの「易」（ready）および「最終的」（ultimate）生分解性を、標準ＯＥＣＤの方法にしたがって試験した。ＯＥＣＤ生分解性の結果を以下表１１に記載する。
【０１７４】
【表１３】
2014532254.tif 000025
【０１７５】
実施例１３
例１のエストリド素材（実施例１より）を急性水性毒性についてのＯＥＣＤ２０３を、下に試験した。試験は、濃度範囲が５，０００ｍｇ／Ｌ〜５０，０００ｍｇ／Ｌである場合には死亡がないことが報告されたため、エストリドには毒性がないことを示した。
【０１７６】
実施例１４
エストリド基油を例１、例２、例３Ａ、例３Ｂ、例４Ａ、および例４Ｂ（以下、それぞれ、例１◆、例２◆、例３Ａ◆、例３Ｂ◆、例４Ａ◆、および例４Ｂ◆）について、実施例１〜４に記載の方法にしたがって産生した。これらのエストリド基油にＡＳＴＭ  Ｄ６８７１−０３（２００８年に再承認）に記載される１つ以上の試験を行った。各結果は以下である。
【０１７７】
【表１４】
2014532254.tif 000026
【０１７８】
実施例１５
エストリドを例４Ａおよび４Ａ＃Ｈについて記載される方法にしたがって調製した。それらのエストリドの物理的および電気的特性をEnvirotemp（登録商標）ＦＲ３ＴＭ（Cooper Technologies社、ヒューストン、テキサス州）  およびＢＩＯＴＥＭＰ（登録商標）（ＡＢＢ社、アラモ、テネシー州）に報告されるものと比較した。それらの試験結果を表１３に記載する。
【０１７９】
【表１５】
2014532254.tif 000027
＊  Ｅｎｖｉｒｏｔｅｍｐ（登録商標）ＦＲ３（商標）によって報告される全製品の特性。Product Information Bulletin  ０００９２、http://www.nttworldwide.com/docs/fr3brochure.pdfで入手可能（最終閲覧日２０１２年２月２７日）。
＊＊  ＢＩＯＴＥＭＰ（登録商標）によって報告される全製品の特性。Descriptive Bulletin ４７−１０５０、http://www.nttworldwide.com/docs/BIOTEMP-ABB.pdfで入手可能（最終閲覧日２０１２年２月２７日）。
【０１８０】
実施例１６
エストリドは例３Ａおよび４Ａについて記載される方法にしたがって調製される。エストリドをその後フラー土で処理し、濾過する。得られるエストリドの電気的および物理的特性を個別に試験し、そこにはＡＳＴＭ法Ｄ１５００、ＡＳＴＭ法Ｄ８７７（円形電極、ｋＶ）およびＤ１８１６（ＶＤＥ電極、ｋＶ）、ＡＳＴＭ法Ｄ３３００、ＡＳＴＭ法Ｄ９２４、ＡＳＴＭ法Ｄ２３００、ＡＳＴＭ法Ｄ１２７５、ＡＳＴＭ法Ｄ９７４、ＡＳＴＭ法Ｄ４０５９、ＡＳＴＭ法Ｄ１５３３、ＡＳＴＭ法Ｄ１２９８、ＡＳＴＭ法Ｄ９７−９６ａ、ＡＳＴＭ法Ｄ２５００、ＡＳＴＭ法Ｄ４４５−９７、ＡＳＴＭ法Ｄ２２７０−９３（１９９８年に再承認）、ＡＳＴＭ法Ｄ４０５２、ＡＳＴＭ法Ｄ９２、ＡＳＴＭ法Ｄ５８００、ＡＳＴＭ法Ｄ５１９１の１つ以上が含まれ、急性水性毒性は経済協力開発機構（ＯＥＣＤ）２０３によって測定された。
【０１８１】
追加の態様
［１］  誘導性流体の伝導率が、２５℃で１ピコシーメンス／メートルより小さい少なくとも１つのエストリド化合物を含む誘導性流体。
【０１８２】
［２］  少なくとも１つの抗酸化剤を更に含む［１］に記載の誘導性流体。
【０１８３】
［３］  少なくとも１つのエストリド化合物が式ＩＩの化合物である［１］および［２］のいずれか１項に記載の誘導性流体であって、
【０１８４】
【化１０】
2014532254.tif 000028
【０１８５】
ここで、
ｍは１に等しいまたはそれより大きい整数であり、
ｎは０に等しいまたはそれより大きい整数であり、
Ｒ１はそれぞれ独立して、飽和または不飽和の、および分岐または非分岐の、置換されていてもよいアルキルであり、
Ｒ２は水素並びに飽和または不飽和の、および分岐または非分岐の、置換されていてもよいアルキルから選択され、および
Ｒ３およびＲ４はそれぞれ独立して、飽和または不飽和の、および分岐または非分岐の、置換されていてもよいアルキルから選択される。
【０１８６】
［４］  少なくとも１つの誘導性流体が少なくとも１つのエストリド化合物を含む少なくとも１つの誘導性流体を含む電気装置。
【０１８７】
［５］  少なくともエストリド化合物が式ＩＩの化合物である［４］に記載の電気装置であって、
【０１８８】
【化１１】
2014532254.tif 000029
【０１８９】
ここで、
ｍは１に等しいまたはそれより大きい整数であり、
ｎは０に等しいまたはそれより大きい整数であり、
Ｒ１はそれぞれ独立して、飽和または不飽和の、および分岐または非分岐の、置換されていてもよいアルキルであり、
Ｒ２は水素並びに飽和または不飽和の、および分岐または非分岐の、置換されていてもよいアルキルから選択され、および
Ｒ３およびＲ４はそれぞれ独立して、飽和または不飽和の、および分岐または非分岐の、置換されていてもよいアルキルから選択される。
【０１９０】
［６］  少なくともエストリド化合物が式Ｉの化合物である［４］および［５］に記載の電気装置であって、
【０１９１】
【化１２】
2014532254.tif 000030
【０１９２】
ここで、
ｘはそれぞれ、独立して０〜２０から選択される整数であり、
ｙはそれぞれ、独立して０〜２０から選択される整数であり、
ｎは０〜１２から選択される整数であり、
Ｒ１は飽和または不飽和の、および分岐または非分岐の、置換されていてもよいアルキルであり、
Ｒ２は飽和または不飽和の、および分岐または非分岐の、置換されていてもよいアルキルであり、
少なくとも１つの前記化合物の脂肪酸鎖残基のそれぞれが、独立して置換されていてもよい。
【０１９３】
［７］  ［６］に記載の電気装置であって、
ｘはそれぞれ、独立して１〜１０から選択される整数であり、
ｙはそれぞれ、独立して１〜１０から選択される整数であり、
ｎは０〜８から選択される整数であり、
Ｒ１は飽和または不飽和の、および分岐または非分岐の、置換されていてもよいＣ１〜Ｃ２２アルキルであり、
Ｒ２は飽和または不飽和の、および分岐または非分岐の、置換されていてもよいＣ１〜Ｃ２２アルキルであり、
各脂肪酸鎖残基が置換されていない。
【０１９４】
［８］  ［４］〜［７］のいずれか１項に記載の電気装置であって、
ｘ＋ｙは、各鎖について、独立して１３〜１５から選択される整数であり、および
ｎは０〜６から選択される整数である。
【０１９５】
［９］  少なくとも１つの鎖についてｘ＋ｙが１５である、［４］〜［８］のいずれか１項］に記載の電気装置。
【０１９６】
［１０］  Ｒ２は飽和または不飽和の分岐または非分岐の、置換されていてもよいＣ１〜Ｃ２０アルキルである［４］〜［９］のいずれか１項に記載の電気装置。
【０１９７】
［１１］  Ｒ２はメチル、エチル、プロピル、ブチル、ペンチル、ヘキシル、ヘプチル、オクチル、ノニル、デカニル、ウンデカニル、ドデカニル、トリデカニル、テトラデカニル、ペンタデカニル、ヘキサデカニル、ヘプタデカニル、オクタデカニル、ノナデカニル、およびイコサニルから選択され、飽和または不飽和のおよび分岐または非分岐の、［４］〜［１０］のいずれか１項に記載の電気装置。
【０１９８】
［１２］  Ｒ２はＣ６〜Ｃ１２アルキルから選択される［４］〜［１１］のいずれか１項に記載の電気装置。
【０１９９】
［１３］  Ｒ２は２−エチルヘキシルである［４］〜［１２］のいずれか１項に記載の電気装置。
【０２００】
［１４］  Ｒ１は飽和または不飽和の、および分岐または非分岐の、置換されていてもよいＣ１〜Ｃ２０アルキルである［４］〜［１３］のいずれか１項に記載の電気装置。
【０２０１】
［１５］  Ｒ１はメチル、エチル、プロピル、ブチル、ペンチル、ヘキシル、ヘプチル、オクチル、ノニル、デカニル、ウンデカニル、ドデカニル、トリデカニル、テトラデカニル、ペンタデカニル、ヘキサデカニル、ヘプタデカニル、オクタデカニル、ノナデカニル、およびイコサニルから選択され、飽和または不飽和のおよび分岐または非分岐の、［４］〜［１４］のいずれか１項に記載の電気装置。
【０２０２】
［１６］  Ｒ１は非分岐および飽和または不飽和の、置換されていないＣ７〜Ｃ１７アルキルから選択される［４］〜［１５］のいずれか１項に記載の電気装置。
【０２０３】
［１７］  Ｒ１は非置換、非分岐および飽和または不飽和のＣ１３〜Ｃ１７アルキルから選択される［４］〜［１６］のいずれか１項に記載の電気装置。
【０２０４】
［１８］  Ｒ１は飽和Ｃ７アルキル、飽和Ｃ９アルキル、飽和Ｃ１１アルキル、飽和Ｃ１３アルキル、飽和Ｃ１５アルキル、および飽和または不飽和Ｃ１７アルキルから選択され、非置換および非分岐の［１６］に記載の電気装置。
【０２０５】
［１９］  Ｒ１は飽和Ｃ１３アルキル、飽和Ｃ１５アルキル、および飽和または不飽和Ｃ１７アルキルから選択され、非置換および非分岐の［１７］に記載の電気装置。
【０２０６】
［２０］  Ｒ１およびＲ２は独立して飽和または不飽和、分岐または非分岐の、置換されていてもよいＣ１〜Ｃ１８アルキルから選択される［４］〜［９］のいずれか１項に記載の電気装置。
【０２０７】
［２１］  Ｒ１独立して飽和または不飽和、分岐または非分岐の、置換されていてもよいＣ７〜Ｃ１７アルキルから選択され、Ｒ２は飽和または不飽和、分岐または非分岐の、置換されていてもよいＣ３〜Ｃ２０アルキルから選択される［４］〜［９］のいずれか１項］に記載の電気装置。
【０２０８】
［２２］  少なくとも１つの前記誘導性流体のＥＮが４以上の整数または整数の分数から選択される［４］〜［２１］のいずれか１項に記載の電気装置。
【０２０９】
［２３］  少なくとも１つの前記誘導性流体のＥＮが４〜５から選択される整数または整数の分数である［４］〜［２２］のいずれか１項に記載の電気装置。
【０２１０】
［２４］  少なくとも１つの前記誘導性流体のＥＮが４．２〜４．８から選択される整数の分数である［４］〜［２３］のいずれか１項に記載の電気装置。
【０２１１】
［２５］  少なくとも１つの前記誘導性流体のＥＮが５以上の整数または整数の分数から選択される［４］〜［２１］のいずれか１項に記載の電気装置。
【０２１２】
［２６］  少なくとも１つの前記誘導性流体の４０℃で測定した動的粘度が、２００ｃＳｔ以上である［４］〜［２１］のいずれか１項に記載の電気装置。
【０２１３】
［２７］  少なくとも１つの前記誘導性流体の４０℃で測定した動的粘度が、２００ｃＳｔ〜２５０ｃＳｔである［４］〜［２６］のいずれか１項に記載の電気装置。
【０２１４】
［２８］  少なくとも１つの前記誘導性流体の４０℃で測定した動的粘度が、２１０ｃＳｔ〜２３０ｃＳｔである［４］〜［２７］のいずれか１項に記載の電気装置。
【０２１５】
［２９］  少なくとも１つの前記誘導性流体の流動点が、−４０℃以下である［４］〜［２８］のいずれか１項に記載の電気装置。
【０２１６】
［３０］  少なくとも１つの前記誘導性流体の流動点が、−４０℃〜−５０℃である［４］〜［２９］のいずれか１項に記載の電気装置。
【０２１７】
［３１］  少なくとも１つの前記誘導性流体の流動点が、−４２℃〜−４８℃である［４］〜［３０］のいずれか１項に記載の電気装置。
【０２１８】
［３２］  少なくとも１つの前記誘導性流体の流動点が、−５０℃より低い［４］〜［２８］のいずれか１項に記載の電気装置。
【０２１９】
［３３］  少なくとも１つの前記誘導性流体の流動点が、−５０℃〜−６０℃である［３２に記載の電気装置。
【０２２０】
［３４］  少なくとも１つの前記誘導性流体の流動点が、−５２℃〜−５８℃である［３３］に記載の電気装置。
【０２２１】
［３５］  少なくとも１つの前記誘導性流体のＥＮが３以上の整数または整数の分数から選択される［４］〜［２１］のいずれか１項に記載の電気装置。
【０２２２】
［３６］  少なくとも１つの前記誘導性流体のＥＮが３〜４から選択される整数または整数の分数である［３５］に記載の電気装置。
【０２２３】
［３７］  少なくとも１つの前記誘導性流体のＥＮが３〜３．５から選択される整数または整数の分数である［３４および３５］のいずれか１項に記載の電気装置。
【０２２４】
［３８］  少なくとも１つの前記誘導性流体のＥＮが３．５以上の整数の分数から選択される［３４］および［３５］のいずれか１項に記載の電気装置。
【０２２５】
［３９］  少なくとも１つの前記誘導性流体のＥＮが４以上の整数または整数の分数から選択される［３８］に記載の電気装置。
【０２２６】
［４０］  少なくとも１つの前記誘導性流体のＥＮが４〜５から選択される整数または整数の分数である［３９］に記載の電気装置。
【０２２７】
［４１］  少なくとも１つの前記誘導性流体のＥＮが４．２〜４．８から選択される整数の分数である［４０］に記載の電気装置。
【０２２８】
［４２］  少なくとも１つの前記誘導性流体のＥＮが５以上の整数または整数の分数から選択される［２８］〜［４０］のいずれか１項に記載の電気装置。
【０２２９】
［４３］  少なくとも１つの前記誘導性流体の４０℃で測定した動的粘度が、１３０ｃＳｔ以上の［３５］〜［４２］のいずれか１項に記載の電気装置。
【０２３０】
［４４］  少なくとも１つの前記誘導性流体の動的粘度が、４０℃で、１３０ｃＳｔ〜１６０ｃＳｔである［３５］〜［４３］のいずれか１項に記載の電気装置。
【０２３１】
［４５］  少なくとも１つの前記誘導性流体の動的粘度が、４０℃で、１３０ｃＳｔ〜１４５ｃＳｔである［３５］〜［４４］のいずれか１項に記載の電気装置。
【０２３２】
［４６］  少なくとも１つの前記誘導性流体の流動点が−３０℃以下である［３５］〜［４５］のいずれか１項に記載の電気装置。
【０２３３】
［４６］  少なくとも１つの前記誘導性流体の流動点が−３０℃〜−４０℃である［３５］〜［４６］のいずれか１項に記載の電気装置。
【０２３４】
［４８］  少なくとも１つの前記誘導性流体の流動点が−３４℃〜−３８℃である［３５］〜［４７］のいずれか１項に記載の電気装置。
【０２３５】
［４９］  少なくとも１つの前記誘導性流体の流動点が−３５℃より低い［３５］〜［４６］のいずれか１項に記載の電気装置。
【０２３６】
［５０］  少なくとも１つの前記誘導性流体の流動点が−３５℃〜−４５℃である［３５］〜［４６］のいずれか１項に記載の電気装置。
【０２３７】
［５１］  少なくとも１つの前記誘導性流体の流動点が−３８℃〜−４２℃である［３５］〜［４６］のいずれか１項に記載の電気装置。
【０２３８】
［５２］  少なくとも１つの前記誘導性流体の流動点が−４０℃より低い［３５］〜［４６］のいずれか１項に記載の電気装置。
【０２３９】
［５３］  少なくとも１つの前記誘導性流体の流動点が−４０℃〜−５０℃である［３５］〜［４６］のいずれか１項に記載の電気装置。
【０２４０】
［５４］  少なくとも１つの前記誘導性流体の流動点が−４２℃〜−４８℃である［３５］〜［４６］のいずれか１項に記載の電気装置。
【０２４１】
［５５］  少なくとも１つの前記誘導性流体の流動点が−５０℃より低い［３５］〜［４６］のいずれか１項に記載の電気装置。
【０２４２】
［５６］  少なくとも１つの前記誘導性流体の流動点が−５０℃〜−６０℃である［３５］〜［４６］のいずれか１項に記載の電気装置。
【０２４３】
［５７］  少なくとも１つの前記誘導性流体の流動点が−５２℃〜−５８℃である［３５］〜［４６］のいずれか１項に記載の電気装置。
【０２４４】
［５８］  少なくとも１つの前記誘導性流体のＥＮが２以下である整数または整数の分数から選択される［４］〜［２１］のいずれか１項に記載の電気装置。
【０２４５】
［５９］  少なくとも１つの前記誘導性流体のＥＮが１〜２から選択される整数または整数の分数である［４］〜［２１］のいずれか１項に記載の電気装置。
【０２４６】
［６０］  少なくとも１つの前記誘導性流体のＥＮが１〜１．６から選択される整数の分数である［１］〜［２１］のいずれか１項に記載の電気装置。
【０２４７】
［６１］  少なくとも１つの前記誘導性流体の４０℃で測定した動的粘度が、５５ｃＳｔ以下である［５８］〜［６０］のいずれか１項に記載の電気装置。
【０２４８】
［６２］  少なくとも１つの前記誘導性流体の動的粘度が、４０℃で、２５ｃＳｔ〜５５ｃＳｔである［５８］〜［６１］のいずれか１項に記載の電気装置。
【０２４９】
［６３］  少なくとも１つの前記誘導性流体の動的粘度が、４０℃で、３５ｃＳｔ〜４５ｃＳｔである［５８］〜［６２］のいずれか１項に記載の電気装置。
【０２５０】
［６４］  少なくとも１つの前記誘導性流体の流動点が、−２５℃以下である［５８］〜［６３］のいずれか１項に記載の電気装置。
【０２５１】
［６５］  少なくとも１つの前記誘導性流体の流動点が、−２７℃〜−３７℃である［５８］〜［６４］のいずれか１項に記載の電気装置。
【０２５２】
［６６］  少なくとも１つの前記誘導性流体の流動点が、−３０℃〜−３４℃である［５８］〜［６５］のいずれか１項に記載の電気装置。
【０２５３】
［６７］  少なくとも１つの前記誘導性流体の流動点が、−５０℃以下である［５８］〜［６５］のいずれか１項に記載の電気装置。
【０２５４】
［６８］  少なくとも１つの前記誘導性流体の流動点が、−５０℃〜−６０℃である［５８］〜［６５］のいずれか１項に記載の電気装置。
【０２５５】
［６９］  少なくとも１つの前記誘導性流体の流動点が、−５２℃〜−５８℃である［５８］〜［６５］のいずれか１項に記載の電気装置。
【０２５６】
［７０］  少なくとも１つの前記誘導性流体のＥＮが２以下の整数または整数の分数から選択される［４］〜［２１］のいずれか１項に記載の電気装置。
【０２５７】
［７１］  少なくとも１つの前記誘導性流体のＥＮが１〜２から選択される整数または整数の分数である［４］〜［２１］のいずれか１項に記載の電気装置。
【０２５８】
［７２］  少なくとも１つの前記誘導性流体のＥＮが１．１〜１．７から選択される整数の分数である［７０および７１］のいずれか１項に記載の電気装置。
【０２５９】
［７３］  少なくとも１つの前記誘導性流体の４０℃で測定した動的粘度が、４５ｃＳｔ以下である［７０］〜［７２］のいずれか１項に記載の電気装置。
【０２６０】
［７４］  少なくとも１つの前記誘導性流体の動的粘度が、４０℃で、２０ｃＳｔ〜４５ｃＳｔである［７０］〜［７３］のいずれか１項に記載の電気装置。
【０２６１】
［７５］  少なくとも１つの前記誘導性流体の動的粘度が、４０℃で、２８ｃＳｔ〜３８ｃＳｔである［７０］〜［７４］のいずれか１項に記載の電気装置。
【０２６２】
［７６］  少なくとも１つの前記誘導性流体の流動点が、−２５℃以下である［７０］〜［７５］のいずれか１項に記載の電気装置。
【０２６３】
［７７］  少なくとも１つの前記誘導性流体の流動点が、４０℃で、−２５℃〜−３５℃である［７０］〜［７６］のいずれか１項に記載の電気装置。
【０２６４】
［７８］  少なくとも１つの前記誘導性流体の流動点が、−２８℃〜−３２℃である［７０］〜［７７］のいずれか１項に記載の電気装置。
【０２６５】
［７９］  少なくとも１つの前記誘導性流体の流動点が、−５０℃より低い［７０］〜［７６］のいずれか１項に記載の電気装置。
【０２６６】
［８０］  少なくとも１つの前記誘導性流体の流動点が、−５０℃〜−６０℃である［７０］〜［７６］のいずれか１項に記載の電気装置。
【０２６７】
［８１］  少なくとも１つの前記誘導性流体の流動点が、−５２℃〜−５８℃である［７０］〜［７６］のいずれか１項に記載の電気装置。
【０２６８】
［８２］  前記誘導性流体が抗酸化剤、抗菌剤、低温流動性調整剤、流動点調整剤、金属キレート剤および金属不活性化剤から成る群から選択される少なくとも１つの添加剤を更に含む［４］〜［８１］のいずれか１項に記載の電気装置。
【０２６９】
［８３］  前記誘導性流体がポリアルファオレフィン、合成エステル、ポリアルキレングリコール、鉱油、植物油、動物性油、モノグリセリド、ジグリセリド、トリグリセリド、および脂肪酸エステルから成る群から選択される少なくとも１つの添加剤を更に含む［４］〜［８２］のいずれか１項に記載の電気装置。
【０２７０】
［８４］  少なくとも１つの変圧器を含む［４］〜［８３］のいずれか１項に記載の電気装置。
【０２７１】
［８５］  少なくとも１つの前記変圧器がハウジングおよびコア／コイルアセンブリを含み、コア／コイルアセンブリはハウジングの中に位置され、誘電性流体がコア／コイルアセンブリの少なくとも一部分を取り囲む［８４］に記載の電気装置。
【０２７２】
［８６］  第１の誘導性流体を有する変圧器を逆充填する方法であって、以下を含む方法
少なくとも一部分の第１の誘導性流体を変圧器から除去し、および
少なくとも一部分の第１の誘導性流体を第２の誘導性流体に置き換え、当該第２の誘導性流体はエストリド化合物を含む。
【０２７３】
［８７］  エストリド化合物が式ＩＩの化合物である［８６］に記載の方法であって、
【０２７４】
【化１３】
2014532254.tif 000031
【０２７５】
ここで、
ｍは１より大きいまたは等しい整数であり、
ｎは０より大きいまたは等しい整数であり、
Ｒ１はそれぞれ独立して、飽和または不飽和の、および分岐または非分岐の、置換されていてもよいアルキルであり、
Ｒ２は水素および飽和または不飽和の、および分岐または非分岐の、置換されていてもよいアルキルから選択され、
Ｒ３およびＲ４はそれぞれ独立して、飽和または不飽和の、および分岐または非分岐の、置換されていてもよいアルキルから選択される。
【０２７６】
［８８］  熱を電気装置から放熱する方法であって、当該方法は、少なくとも一部分の電気装置を誘導性流体に接触させ、当該誘導性流体がエストリド化合物を含む。
【０２７７】
［８９］  前記電気装置は少なくとも１つの変圧器を含む［８８］に記載の方法。
【０２７８】
［９０］  前記エストリド化合物が式ＩＩの化合物である［８８］および［８９］のいずれか１項に記載の方法であって、
【０２７９】
【化１４】
2014532254.tif 000032
【０２８０】
ここで、
ｍは１より大きいまたは等しい整数であり、
ｎは０より大きいまたは等しい整数であり、
Ｒ１はそれぞれ独立して、飽和または不飽和の、および分岐または非分岐の、置換されていてもよいアルキルであり、
Ｒ２は水素および飽和または不飽和の、および分岐または非分岐の、置換されていてもよいアルキルから選択され、
Ｒ３およびＲ４はそれぞれ独立して、飽和または不飽和の、および分岐または非分岐の、置換されていてもよいアルキルから選択される。
【０２８１】
［９１］  前記誘導性流体の引火点が、３００℃より大きいまたは等しい［４］〜［８５］のいずれか１項に記載の電気装置。
【０２８２】
［９２］  前記誘導性流体の引火点が、３００℃〜３５０℃である［４］〜［８５および９１］のいずれか１項に記載の電気装置。
【０２８３】
［９３］  前記誘導性流体の引火点が、３００℃〜３１０℃である［４］〜［８５］および［９１］〜［９２］のいずれか１項に記載の電気装置。
【０２８４】
［９４］  前記誘導性流体の発火点が、２７５℃より大きいまたは等しい［４］〜［８５］および［９１］〜［９３］のいずれか１項に記載の電気装置。
【０２８５】
［９５］  前記誘導性流体の発火点が、２７５℃〜３２５℃である［４］〜［８５］および［９１］〜［９４］のいずれか１項に記載の電気装置。
【０２８６】
［９６］  前記誘導性流体の発火点が、２７５℃〜３００℃である［４］〜［８５］および［９１］〜［９５］のいずれか１項に記載の電気装置。
【０２８７】
［９７］  前記誘導性流体の発火点が、３００℃〜３１０℃である［４］〜［８５］および［９１］〜［９６］のいずれか１項に記載の電気装置。
【０２８８】
［９８］  前記誘導性流体の相対密度が、１以下である［４］〜［８５］および［９１］〜［９７］のいずれか１項に記載の電気装置。
【０２８９】
［９９］  前記誘導性流体の相対密度が、０］  ９６以下である［４］〜［８５］および［９１］〜［９８］のいずれか１項に記載の電気装置。
【０２９０】
［１００］  前記誘導性流体の相対密度が、０．８〜１．０である［４］〜［８５］および［９１］〜［９９］のいずれか１項に記載の電気装置。
【０２９１】
［１０１］  前記誘導性流体の相対密度が、０．８５〜０．９５である［４］〜［８５］および［９１］〜［１００］のいずれか１項に記載の電気装置。
【０２９２】
［１０２］  前記誘導性流体の色調が、１以下である［４］〜［８５］および［９１］〜［１０１］のいずれか１項に記載の電気装置。
【０２９３】
［１０３］  前記誘導性流体の色調が、０．７５〜１である［４］〜［８５］および［９１］〜［１０２］のいずれか１項に記載の電気装置。
【０２９４】
［１０４］  前記誘導性流体の６０Ｈｚ（円形電極）での絶縁破壊電圧が、３０ｋＶより大きいまたは等しい［４］〜［８５］および［９１］〜［１０３］のいずれか１項に記載の電気装置。
【０２９５】
［１０５］  前記誘導性流体の６０Ｈｚ（ＶＤＥ電極）での絶縁破壊電圧が、１ｍｍギャップについて、２０ｋＶより大きいまたは等しい［４］〜［８５］および［９１］〜［１０４］のいずれか１項に記載の電気装置。
【０２９６】
［１０６］  前記誘導性流体の６０Ｈｚ（ＶＤＥ電極）での絶縁破壊電圧が、２ｍｍギャップについて、３５ｋＶより大きいまたは等しい［４］〜［８５］および［９１］〜［１０５］のいずれか１項に記載の電気装置。
【０２９７】
［１０７］  前記誘導性流体のインパルス条件（２５℃、針は地球の接地に対して負、１インチ）下の絶縁破壊電圧が、１３０ｋＶより大きいまたは等しい［４］〜［８５］および［９１］〜［１０６］のいずれか１項に記載の電気装置。
【０２９８】
［１０８］  前記誘電性流体の６０Ｈｚの誘電正接が２５℃で０．２％以下である［４］〜［８５］および［９１］〜［１０７］のいずれか１項に記載の電気装置。
【０２９９】
［１０９］  前記誘電性流体の６０Ｈｚの誘電正接が１００℃で４％以下である［４］〜［８５］および［９１］〜［１０８］のいずれか１項に記載の電気装置。
【０３００】
［１１０］  前記誘電性流体のガッシング傾向が０μｌ／分である［４］〜［８５］および［９１］〜［１０９］のいずれか１項に記載の電気装置。
【０３０１】
［１１１］  前記誘電性流体の試験は硫黄腐食について陰性である［４］〜［８５］および［９１］〜［１１０］のいずれか１項に記載の電気装置。
【０３０２】
［１１２］  前記誘電性流体の総酸数が０．１ｍｇＫＯＨ／ｇ以下である［４］〜［８５］および［９１］〜［１１１］のいずれか１項に記載の電気装置。
【０３０３】
［１１３］  前記誘電性流体の総酸数が０．０６ｍｇＫＯＨ／ｇ以下である［４］〜［８５］および［９１］〜［１１２］のいずれか１項に記載の電気装置。
【０３０４】
［１１４］  前記誘電性流体の総酸数が０．０２〜０．０６ｍｇ ＫＯＨ／ｇ以下である［４］〜［８５］および［９１］〜［１１３］のいずれか１項に記載の電気装置。
【０３０５】
［１１５］  前誘電性流体のＰＣＢ（ポリ塩化ビフェニル）含有量が０ｐｐｍである［４］〜［８５］および［９１］〜［１１４］のいずれか１項に記載の電気装置。
【０３０６】
［１１６］  前誘電性流体の水含有量が２００ｍｇ／ｋｇ以下である［４］〜［８５］および［９１］〜［１１５］のいずれか１項に記載の電気装置。
【０３０７】
［１１７］  １つ以上のＲ３またはＲ４の長さが、そのエストリド分子の１つ以上のＲ３またはＲ４と異なる［３に記載の誘導性流体。
【０３０８】
［１１８］  前記少なくとも１つのエストリド化合物が式ＩＩＩの化合物である［１］および［２］のいずれか１項に記載の誘導性流体。
【０３０９】
【化１５】
2014532254.tif 000033
【０３１０】
ｘはそれぞれ独立して、０〜２０から選択される整数であり、
ｙはそれぞれ独立して、０〜２０から選択される整数であり、
ｎは０より大きいまたは等しい整数であり、
Ｒ１は飽和または不飽和の、および分岐または非分岐の、置換されていてもよいアルキルであり、
Ｒ２は飽和または不飽和の、および分岐または非分岐の、置換されていてもよいアルキルであり、
少なくとも１つの当該化合物の脂肪酸鎖残基のそれぞれが、独立して置換されていてもよい。
【０３１１】
［１１９］  少なくとも１つの脂肪酸残基が、単一のエストリド化合物の分子の少なくとも１つの第２の脂肪酸残基と異なる［１１８］に記載の誘導性流体。
【０３１２】
［１２０］  少なくとも１つの前記誘導性流体の伝導率が２５℃で５ｐＳ／Ｍ以下である［４］〜［８５］のいずれか１項に記載の電気装置。
【０３１３】
［１２１］  少なくとも１つの前記誘導性流体の伝導率が２５℃で２ｐＳ／Ｍ以下である［１２０］に記載の電気装置。
【０３１４】
［１２２］  少なくとも１つの前記誘導性流体の伝導率が２５℃で１ｐＳ／Ｍ以下である［１２１］のいずれか１項に記載の電気装置。
【０３１５】
［１２３］  エストリド化合物を含む誘導性流体の伝導率が２５℃で５ｐＳ／Ｍ以下である［８６］〜［８７］のいずれか１項に記載の電気装置。
【０３１６】
［１２４］  エストリド化合物を含む誘導性流体の伝導率が２５℃で２ｐＳ／Ｍ以下である［１２３］に記載の電気装置。
【０３１７】
［１２５］  エストリド化合物を含む誘導性流体の伝導率が２５℃で１ｐＳ／Ｍ以下である［１２４］に記載の電気装置。
【０３１８】
［１２６］  エストリド化合物を含む誘導性流体の伝導率が２５℃で５ｐＳ／Ｍ以下である［８８］〜［９０に記載の電気装置。
【０３１９】
［１２７］  エストリド化合物を含む誘導性流体の伝導率が２５℃で２ｐＳ／Ｍ以下である［１２６］に記載の電気装置。
【０３２０】
［１２８］  エストリド化合物を含む誘導性流体の伝導率が２５℃で１ｐＳ／Ｍ以下である［１２７］に記載の電気装置。
【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
少なくとも１つの誘電性流体を含む電気装置であり、前記少なくとも１つの誘電性流体のＥＮは１．５以下の整数または整数の分数から選択され、ＥＮは式Ｉに記載の化合物のエストリド結合の平均数であり、少なくとも１つの誘電性流体は式Ｉの少なくとも１つのエストリド化合物を含み、
【化１】
2014532254.tif 000036
ここで、
ｘはそれぞれ独立して、０〜２０から選択される整数であり、
ｙはそれぞれ独立して、０〜２０から選択される整数であり、
ｎは０以上の整数であり、
Ｒ１は飽和または不飽和の、および分岐または非分岐の置換されてもよいアルキルであり、
Ｒ２は水素および飽和または不飽和の、および分岐または非分岐の置換されてもよいアルキルから選択され、
少なくとも１つの前記化合物の脂肪酸鎖残基のそれぞれが、独立して置換されていてもよい、前記電気装置。
【請求項２】
ｘはそれぞれ独立して１〜１０から選択される整数であり、
ｙはそれぞれ独立して１〜１０から選択される整数であり、
ｎは０〜８から選択される整数であり、
Ｒ１は飽和または不飽和の、および分岐または非分岐の置換されてもよいＣ１〜Ｃ２２アルキルであり、および
Ｒ２は飽和または不飽和の、および分岐または非分岐の置換されてもよいＣ１〜Ｃ２２アルキルであり、
脂肪酸鎖残基のそれぞれが置換されていない、請求項１の電気装置。
【請求項３】
ｘ＋ｙは、各鎖について、独立して１３〜１５から選択される整数であり、およびｎは０〜６から選択される整数である、請求項１〜２のいずれか１項に記載の電気装置。
【請求項４】
少なくとも１つの鎖についてｘ＋ｙが１５である、請求項１〜３のいずれか１項に記載の電気装置。
【請求項５】
Ｒ２は飽和または不飽和の分岐または非分岐のＣ１〜Ｃ２０アルキルである、請求項１〜４のいずれか１項に記載の電気装置。
【請求項６】
Ｒ２はメチル、エチル、プロピル、ブチル、ペンチル、ヘキシル、ヘプチル、オクチル、ノニル、デカニル、ウンデカニル、ドデカニル、トリデカニル、テトラデカニル、ペンタデカニル、ヘキサデカニル、ヘプタデカニル、オクタデカニル、ノナデカニル、およびイコサニルから選択され、飽和または不飽和のおよび分岐または非分岐の、請求項１〜５のいずれか１項に記載の電気装置。
【請求項７】
Ｒ２はＣ６〜Ｃ１２アルキルから選択される、請求項１〜６のいずれか１項に記載の電気装置。
【請求項８】
Ｒ２は２-エチルヘキシルである、請求項１〜７のいずれか１項に記載の電気装置。
【請求項９】
Ｒ１は飽和または不飽和の分岐または非分岐のＣ１〜Ｃ２０アルキルである、請求項１〜８のいずれか１項に記載の電気装置。
【請求項１０】
Ｒ１はメチル、エチル、プロピル、ブチル、ペンチル、ヘキシル、ヘプチル、オクチル、ノニル、デカニル、ウンデカニル、ドデカニル、トリデカニル、テトラデカニル、ペンタデカニル、ヘキサデカニル、ヘプタデカニル、オクタデカニル、ノナデカニル、およびイコサニルから選択され、飽和または不飽和および分岐または非分岐である、請求項１〜９のいずれか１項に記載の電気装置。
【請求項１１】
Ｒ１は非分岐および飽和または不飽和の非置換Ｃ７〜Ｃ１７アルキルから選択される、請求項１〜１０のいずれか１項に記載の電気装置。
【請求項１２】
Ｒ１は非置換、非分岐、および飽和または不飽和のＣ１３〜Ｃ１７アルキルから選択される、請求項１〜１１のいずれか１項に記載の電気装置。
【請求項１３】
Ｒ１はＣ７アルキル、飽和Ｃ９アルキル、飽和Ｃ１１アルキル、飽和Ｃ１３アルキル、飽和Ｃ１５アルキル、および飽和または不飽和Ｃ１７アルキルから選択され、非置換および非分岐である、請求項１１に記載の電気装置。
【請求項１４】
Ｒ１は飽和Ｃ１３アルキル、飽和Ｃ１５アルキル、および飽和または不飽和Ｃ１７アルキルから選択され、非置換および非分岐である、請求項１２に記載の電気装置。
【請求項１５】
Ｒ２は飽和または不飽和の、分岐または非分岐の非置換アルキルである、請求項１〜１４のいずれか１項に記載和の電気装置。
【請求項１６】
少なくとも１つの前記誘電性流体の４０℃で測定した動的粘度が４５ｃＳｔ以下である、請求項１〜１５のいずれか１項に記載の電気装置。
【請求項１７】
少なくとも１つの前記誘電性流体の流動点が-２５℃以下である請求項１〜１６のいずれか１項に記載の電気装置。
【請求項１８】
前記誘電性流体が抗酸化剤、抗菌剤、低温流動性調整剤、流動点調整剤、金属キレート剤および金属不活性化剤から成る群から選択される少なくとも１つの添加剤をさらに含む、請求項１〜１７のいずれか１項に記載の電気装置。
【請求項１９】
前記誘電性流体がポリアルファオレフィン、合成エステル、ポリアルキレングリコール、鉱油、植物油、動物性油、モノグリセリド、ジグリセリド、トリグリセリド、および脂肪酸エステルから成る群から選択される少なくとも１つの添加剤をさらに含む、請求項１〜１８のいずれか１項に記載の電気装置。
【請求項２０】
少なくとも１つの添加剤がＢＨＴ、ＢＨＡ、ＴＢＨＱ、ＤＢＰＣ、ＴＨＢＰ、またはアルキル化ジフェニルアミンの１つ以上を含む抗酸化剤である、請求項１９に記載の電気装置。
【請求項２１】
前記電気装置が少なくとも１つの変圧器を含む、請求項１〜２０のいずれか１項に記載の電気装置。
【請求項２２】
少なくとも１つの前記変圧器がハウジングおよびコア／コイルアセンブリを含み、コア／コイルアセンブリはハウジングの中に位置され、誘電性流体がコア／コイルアセンブリの少なくとも一部分を取り囲む、請求項２１に記載の電気装置。
【請求項２３】
前記誘電性流体の発火点が３００℃より高いまたは等しい、請求項１〜２２のいずれか１項に記載の電気装置。
【請求項２４】
前記誘電性流体の引火点が２７５℃より大きいまたは等しい、請求項１〜２３のいずれか１項に記載の電気装置。
【請求項２５】
前記誘電性流体の６０Ｈｚ（ＶＤＥ電極）の絶縁破壊電圧が、２ｍｍのギャップについて３５ｋＶより大きいまたは等しい、請求項１〜２４のいずれか１項に記載の電気装置。
【請求項２６】
前記誘電性流体のインパルス条件（２５°Ｃ、針は地球の接地に対して負、１インチ）下の絶縁破壊電圧が１３０ｋＶより大きいまたは等しい、請求項１〜２５のいずれか１項に記載の電気装置。
【請求項２７】
前記誘電性流体の６０Ｈｚの誘電正接が２５℃で０．２％以下である、請求項１〜２６のいずれか１項に記載の電気装置。
【請求項２８】
前記誘電性流体の総酸数が０．１ｍｇＫＯＨ／ｇ以下である、請求項１〜２７のいずれか１項に記載の電気装置。
【請求項２９】
少なくとも１つの前記誘電性流体の電気伝導率が２５℃で５ｐＳ／Ｍ以下である、請求項１〜２８のいずれか１項に記載の電気装置。
【請求項３０】
ｘがそれぞれ独立して、７および８から選択される整数である、請求項１〜２９のいずれか１項に記載の電気装置。
【請求項３１】
ｙがそれぞれ独立して、７および８から選択される整数である、請求項１〜３０のいずれか１項に記載の電気装置。
【国際調査報告】
2014532254.tif 000037
2014532254.tif 000038
2014532254.tif 000039